(57)【要約】【課題】無線ＬＡＮアクセスポイントを用いたネットワーク環境下で効率よく通信を行うことを目的とする。【解決手段】無線通信を行う無線通信手段と赤外線通信を行う赤外線通信手段とを有する情報処理端末１と、該情報処理端末１をネットワーク５に接続するネットワーク接続手段２と、該ネットワーク接続手段とネットワーク５を介して接続された赤外線通信手段を有する赤外線通信装置３とからなる無線通信システムであって、情報処理端末１は、当該情報処理端末１の赤外線通信手段を用い、赤外線通信装置３よりネットワーク接続手段に係る設定情報を取得する設定情報取得手段と、当該情報処理端末１の赤外線通信手段を用い、赤外線通信装置３より該赤外線通信装置に係るアドレス情報を取得するアドレス情報取得手段と、無線通信手段を用い、ネットワーク接続手段２を介して、赤外線通信装置３と接続を行う接続手段とを有することによって上記課題を解決する。【選択図】        図１
2004336538.tif 000002
【特許請求の範囲】
【請求項１】
無線通信を行う無線通信手段と赤外線通信を行う赤外線通信手段とを有する情報処理端末と、該情報処理端末をネットワークに接続するネットワーク接続手段と、該ネットワーク接続手段と前記ネットワークを介して接続された赤外線通信を行う赤外線通信手段を有する赤外線通信装置とからなる無線通信システムであって、
前記情報処理端末は、
当該情報処理端末の赤外線通信手段を用い、前記赤外線通信装置より前記ネットワーク接続手段に係る設定情報を取得する設定情報取得手段と、
当該情報処理端末の赤外線通信手段を用い、前記赤外線通信装置より該赤外線通信装置に係るアドレス情報を取得するアドレス情報取得手段と、
前記無線通信手段を用い、前記ネットワーク接続手段を介して、前記赤外線通信装置と接続を行う接続手段と
を有することを特徴とする無線通信システム。
【請求項２】
前記赤外線通信装置は、前記ネットワークに接続された周辺装置であることを特徴とする請求項１記載の無線通信システム。
【請求項３】
前記赤外線通信装置は、前記ネットワークに接続された情報処理装置であることを特徴とする請求項１記載の無線通信システム。
【請求項４】
前記赤外線通信装置は、前記ネットワークに接続された無線通信を行う無線通信手段と赤外線通信を行う赤外線通信手段とを有する情報処理端末であることを特徴とする請求項１記載の無線通信システム。
【請求項５】
前記無線通信システムは、前記ネットワーク接続手段の利用を許可する利用許可情報を管理する利用許可情報管理装置を更に有し、
前記赤外線通信装置は、
当該赤外線通信装置の赤外線通信手段を用い、前記情報処理端末より、該情報処理端末を特定する特定データを受信する特定データ受信手段と、
前記特定データを含む認証要求を前記利用許可情報管理装置に送信する認証要求送信手段と、
前記利用許可情報管理装置より認証結果を含む認証応答を受信する認証応答受信手段と
を有することを特徴とする請求項１乃至４何れか一項記載の無線通信システム。
【請求項６】
前記無線通信システムは、前記ネットワーク接続手段の利用を許可する利用許可情報を管理する利用許可情報管理装置を更に有し、
前記ネットワーク接続手段は、
前記赤外線通信手段と、
当該赤外線通信装置の赤外線通信手段を用い、前記情報処理端末より、該情報処理端末を特定する特定データを受信する特定データ受信手段と、
前記特定データを含む認証要求を前記利用許可情報管理装置に送信する認証要求送信手段と、
前記利用許可情報管理装置より認証結果を含む認証応答を受信する認証応答受信手段と
を有することを特徴とする請求項１乃至４何れか一項記載の無線通信システム。
【請求項７】
前記無線通信システムは、前記赤外線通信装置を利用する場合に必要となる利用情報を管理する利用情報管理装置を更に有し、
前記情報処理端末は、
当該情報処理端末の赤外線通信手段を用い、前記赤外線通信装置より前記利用情報管理装置に係るアドレス情報を取得するアドレス情報取得手段と、
前記無線通信手段を用い、前記アドレス情報を基に、前記利用情報管理装置より前記利用情報を取得する利用情報取得手段と
を更に有することを特徴とする請求項１乃至６何れか一項記載の無線通信システム。
【請求項８】
前記無線通信システムは、前記ネットワークとインターネットを介して接続された、前記赤外線通信装置を利用する場合に必要となる利用情報を提供するＷｅｂサイトを更に有し、
前記情報処理端末は、
当該情報処理端末の赤外線通信手段を用い、前記赤外線通信装置より前記Ｗｅｂサイトのインターネットアドレスを取得するインターネットアドレス取得手段と、
前記無線通信手段を用い、前記インターネットアドレスを基に、前記Ｗｅｂサイトより前記利用情報を取得する利用情報取得手段と
を更に有することを特徴とする請求項１乃至６何れか一項記載の無線通信システム。
【請求項９】
無線通信を行う無線通信手段と赤外線通信を行う赤外線通信手段とを有する情報処理端末と、該情報処理端末をネットワークに接続するネットワーク接続手段と、該ネットワーク接続手段と前記ネットワークを介して接続された赤外線通信を行う赤外線通信手段を有する赤外線通信装置と、前記赤外線通信手段を有する携帯型赤外線通信装置とからなる無線通信システムであって、
前記携帯型赤外線通信装置は、
当該情報処理端末の赤外線通信手段を用い、前記赤外線通信装置より前記ネットワーク接続手段に係る設定情報を取得する設定情報取得手段と、
当該情報処理端末の赤外線通信手段を用い、前記赤外線通信装置より該赤外線通信装置に係るアドレス情報を取得するアドレス情報取得手段とを有し、
前記情報処理端末は、
当該情報処理端末に挿入された前記携帯型赤外線通信装置より、前記ネットワーク接続手段に係る設定情報及び／又は前記赤外線通信装置に係るアドレス情報を読み取る読み取り手段を有することを特徴とする無線通信システム。
【請求項１０】
無線通信を行う無線通信手段と赤外線通信を行う赤外線通信手段とを有する情報処理端末と、該情報処理端末をネットワークに接続するネットワーク接続手段と、該ネットワーク接続手段と前記ネットワークを介して接続された赤外線通信を行う赤外線通信手段を有する赤外線通信装置と、前記赤外線通信手段を有する携帯型赤外線通信装置とからなる無線通信システムであって、
前記携帯型赤外線通信装置は、
当該情報処理端末の赤外線通信手段を用い、前記赤外線通信装置より前記ネットワーク接続手段に係る設定情報を取得する設定情報取得手段と、
当該情報処理端末の赤外線通信手段を用い、前記赤外線通信装置より該赤外線通信装置に係るアドレス情報を取得するアドレス情報取得手段と
前記赤外線通信手段を用い、前記ネットワーク接続手段に係る設定情報を前記情報処理端末に送信する設定情報送信手段と、
前記赤外線通信手段を用い、前記赤外線通信装置に係るアドレス情報を前記情報処理端末に送信するアドレス情報送信手段と
を有することを特徴とする無線通信システム。
【請求項１１】
無線通信を行う無線通信手段と赤外線通信を行う赤外線通信手段とを有する情報処理端末と、該情報処理端末をネットワークに接続するネットワーク接続手段と、該ネットワーク接続手段と前記ネットワークを介して接続された赤外線通信を行う赤外線通信手段を有する赤外線通信装置と、前記ネットワーク接続手段と前記ネットワークを介して接続された周辺装置とからなる無線通信システムであって、
前記情報処理端末は、
当該情報処理端末の赤外線通信手段を用い、前記赤外線通信装置より前記ネットワーク接続手段に係る設定情報を取得する設定情報取得手段と、
当該情報処理端末の赤外線通信手段を用い、前記赤外線通信装置より前記周辺装置に係るアドレス情報を取得するアドレス情報取得手段と、
前記無線通信手段を用い、前記ネットワーク接続手段を介して、前記周辺装置と接続を行う接続手段と
を有することを特徴とする無線通信システム。
【請求項１２】
無線通信を行う無線通信手段と赤外線通信を行う赤外線通信手段とを有する情報処理端末と、該情報処理端末をネットワークに接続するネットワーク接続手段と、該ネットワーク接続手段と前記ネットワークを介して接続された赤外線通信を行う赤外線通信手段を有する赤外線通信装置と、サービスの提供を行うサービス提供装置とからなる無線通信システムであって、
前記情報処理端末は、
当該情報処理端末の赤外線通信手段を用い、前記赤外線通信装置より該赤外線通信装置を識別する識別子を取得する識別子取得手段と、
当該情報処理端末の赤外線通信手段を用い、前記赤外線通信装置より前記ネットワーク接続手段に係る設定情報を取得する設定情報取得手段と、
当該情報処理端末の赤外線通信手段を用い、前記赤外線通信装置より前記サービス提供装置に係るアドレス情報を取得するアドレス情報取得手段と、
前記無線通信手段を用い、前記ネットワーク接続手段を介して、前記サービス提供装置から、前記識別子に対応したサービス情報を取得するサービス情報取得手段と
を有することを特徴とする無線通信システム。
【請求項１３】
無線通信を行う無線通信手段と赤外線通信を行う赤外線通信手段とを有する情報処理端末と、該情報処理端末をネットワークに接続するネットワーク接続手段と、該ネットワーク接続手段と前記ネットワークを介して接続された赤外線通信を行う赤外線通信手段を有する赤外線通信装置とからなる無線通信システムにおける前記情報処理端末であって、
当該情報処理端末の赤外線通信手段を用い、前記赤外線通信装置より前記ネットワーク接続手段に係る設定情報を取得する設定情報取得手段と、
当該情報処理端末の赤外線通信手段を用い、前記赤外線通信装置より該赤外線通信装置に係るアドレス情報を取得するアドレス情報取得手段と、
前記無線通信手段を用い、前記ネットワーク接続手段を介して、前記赤外線通信装置と接続を行う接続手段と
を有することを特徴とする情報処理端末。
【請求項１４】
無線通信を行う無線通信手段と赤外線通信を行う赤外線通信手段とを有する情報処理端末と、該情報処理端末をネットワークに接続するネットワーク接続手段と、該ネットワーク接続手段と前記ネットワークを介して接続された赤外線通信を行う赤外線通信手段を有する赤外線通信装置とからなる無線通信システムにおける前記赤外線通信装置であって、
前記情報処理端末からの要求に基づいて、前記赤外線通信手段を用い、前記情報処理端末に前記ネットワーク接続手段に係る設定情報を送信する設定情報送信手段と、
前記情報処理端末からの要求に基づいて、前記赤外線通信手段を用い、当該赤外線通信装置に係るアドレス情報を送信するアドレス情報送信手段と
を有することを特徴とする赤外線通信装置。
【発明の詳細な説明】
【０００１】
【発明の属する技術分野】
本発明は、無線通信システム、情報処理端末及び赤外線通信装置に関する。
【０００２】
【従来の技術】
近年、配線の手間や、パーソナルコンピュータ等の情報処理装置にＬＡＮケーブルを接続する手間を省くことが可能であるという利点から、無線ＬＡＮの利用が広まりつつある。企業内においても、無線ＬＡＮアクセスポイントを設置することにより、無線ＬＡＮ通信機能を備えるノート型のパーソナルコンピュータを企業内で持ち歩き、自席や会議室等任意の場所で無線ＬＡＮアクセスポイントにアクセスすることにより、他の情報処理装置やインターネットへのアクセスが可能となっている。また、喫茶店や飲食店にも無線ＬＡＮアクセスポイントが設置され、利用者が持ち込んだモバイル端末やノート型のパーソナルコンピュータを用いることにより、インターネットにアクセスするサービスを提供するというサービス提供形態も広まりつつある。
【０００３】
しかしながら、パーソナルコンピュータ等の情報処理装置の利用者が、無線ＬＡＮ通信により、他の情報処理装置や、プリンタ、ＦＡＸ、スキャナ等の周辺装置を利用しようとした際、相手の装置が目の前にあるにも関わらず、相手装置のＩＰアドレスやネットワーク設定が分からなかったり、利用することすら出来ないという、問題があった。
【０００４】
このような、問題を解決するため、赤外線通信部と無線通信部との両方を備える装置が、赤外線通信により、無線通信用のアドレスを取得する方法等がある（例えば、特許文献１及び特許文献２参照。）。
【０００５】
【特許文献１】
特開２００１−２１７８４６号公報
【０００６】
【特許文献２】
特開２００２−０６３６５２号公報
【０００７】
【発明が解決しようとする課題】
しかしながら、上記従来の方法は、１対１の装置同士の通信は可能であるが、無線ＬＡＮアクセスポイントを用いたネットワーク環境下での通信には問題があった。
【０００８】
なぜなら、正しい設定情報を得ていないと、無線ＬＡＮアクセスポイントを利用することができないからである。例えば、無線チャネルが分からない場合や、無線ＬＡＮで、個々のネットワークの識別に使い、装置が通信し合うにはこのＩＤが一致することが必要であるＥＳＳＩＤ（Ｅｘｔｅｎｄｅｄ  ＳｅｒｖｉｃｅＳｅｔ  Ｉｄｅｎｔｉｔｙ）が分からない場合は、無線ＬＡＮアクセスポイントが見つけられず、無線ＬＡＮアクセスポイントを利用することができない問題があった。
【０００９】
無線チャネルは、互いの無線アクセスポイントの電波が干渉を起こさないよう、近接するアクセスポイントは異なる無線チャネルが使用される。
【００１０】
また、ＥＳＳＩＤは、許可を与えていないユーザに無線ＬＡＮを利用され、情報を引き出されないよう、使用される。
【００１１】
本発明は、上記の点に鑑みなされたもので、無線ＬＡＮアクセスポイントを用いたネットワーク環境下で効率よく通信を行うことを目的とする。
【００１２】
【課題を解決するための手段】
そこで、上記問題を解決するため、請求項１記載の発明は、無線通信を行う無線通信手段と赤外線通信を行う赤外線通信手段とを有する情報処理端末と、該情報処理端末をネットワークに接続するネットワーク接続手段と、該ネットワーク接続手段と前記ネットワークを介して接続された赤外線通信を行う赤外線通信手段を有する赤外線通信装置とからなる無線通信システムであって、前記情報処理端末は、当該情報処理端末の赤外線通信手段を用い、前記赤外線通信装置より前記ネットワーク接続手段に係る設定情報を取得する設定情報取得手段と、当該情報処理端末の赤外線通信手段を用い、前記赤外線通信装置より該赤外線通信装置に係るアドレス情報を取得するアドレス情報取得手段と、前記無線通信手段を用い、前記ネットワーク接続手段を介して、前記赤外線通信装置と接続を行う接続手段とを有することを特徴とする。
【００１３】
請求項１記載の発明によれば、無線通信を行う無線通信手段と赤外線通信を行う赤外線通信手段とを有する情報処理端末と、該情報処理端末をネットワークに接続するネットワーク接続手段と、該ネットワーク接続手段と前記ネットワークを介して接続された赤外線通信を行う赤外線通信手段を有する赤外線通信装置とからなる無線通信システムであって、前記情報処理端末は、当該情報処理端末の赤外線通信手段を用い、前記赤外線通信装置より前記ネットワーク接続手段に係る設定情報を取得する設定情報取得手段と、当該情報処理端末の赤外線通信手段を用い、前記赤外線通信装置より該赤外線通信装置に係るアドレス情報を取得するアドレス情報取得手段と、前記無線通信手段を用い、前記ネットワーク接続手段を介して、前記赤外線通信装置と接続を行う接続手段とを有することによって、無線ＬＡＮアクセスポイントを用いたネットワーク環境下で効率よく情報処理端末と赤外線通信装置との間で通信を行うことができる。
【００１４】
例えば、情報処理端末とは、ノート型のパーソナルコンピュータやＰＤＡ（Ｐｅｒｓｏｎａｌ  Ｄｉｇｉｔａｌ  Ａｓｓｉｓｔａｎｔ）に対応する。
【００１５】
また、例えば、ネットワーク接続手段とは、無線ＬＡＮアクセスポイントに対応する。
【００１６】
また、例えば、赤外線通信装置とは、カラープリンタやモノクロプリンタに対応する。
【００１７】
また、請求項２記載の発明は、前記赤外線通信装置は、前記ネットワークに接続された周辺装置であることを特徴とする。
【００１８】
請求項２記載の発明によれば、前記赤外線通信装置は、前記ネットワークに接続された周辺装置であることによって、無線ＬＡＮアクセスポイントを用いたネットワーク環境下で効率よく情報処理端末と周辺装置との間で通信を行うことができる。
【００１９】
例えば、周辺装置とは、プリンタやファクシミリ、スキャナ、ＣＤ−Ｒ、ＣＤ−ＲＷ、ＤＶＤ−Ｒ、ＤＶＤ−ＲＷ、ＤＶＤ−ＲＡＭ、ＤＶＤ＋Ｒ、ＤＶＤ＋ＲＷ、ＭＯ等に対応する。
【００２０】
また、請求項３記載の発明は、前記赤外線通信装置は、前記ネットワークに接続された情報処理装置であることを特徴とする。
【００２１】
請求項３記載の発明によれば、前記赤外線通信装置は、前記ネットワークに接続された情報処理装置であることによって、無線ＬＡＮアクセスポイントを用いたネットワーク環境下で効率よく情報処理端末とネットワークに接続された情報処理装置との間で通信を行うことができる。
【００２２】
例えば、情報処理装置とは、会議サーバに対応する。
【００２３】
また、請求項４記載の発明は、前記赤外線通信装置は、前記ネットワークに接続された無線通信を行う無線通信手段と赤外線通信を行う赤外線通信手段とを有する情報処理端末であることを特徴とする。
【００２４】
請求項４記載の発明によれば、前記赤外線通信装置は、前記ネットワークに接続された無線通信を行う無線通信手段と赤外線通信を行う赤外線通信手段とを有する情報処理端末であることによって、無線ＬＡＮアクセスポイントを用いたネットワーク環境下で効率よく情報処理端末と情報処理端末との間で通信を行うことができる。
【００２５】
また、請求項５記載の発明は、前記無線通信システムは、前記ネットワーク接続手段の利用を許可する利用許可情報を管理する利用許可情報管理装置を更に有し、前記赤外線通信装置は、当該赤外線通信装置の赤外線通信手段を用い、前記情報処理端末より、該情報処理端末を特定する特定データを受信する特定データ受信手段と、前記特定データを含む認証要求を前記利用許可情報管理装置に送信する認証要求送信手段と、前記利用許可情報管理装置より認証結果を含む認証応答を受信する認証応答受信手段とを有することを特徴とする。
【００２６】
請求項５記載の発明によれば、前記無線通信システムは、前記ネットワーク接続手段の利用を許可する利用許可情報を管理する利用許可情報管理装置を更に有し、前記赤外線通信装置は、当該赤外線通信装置の赤外線通信手段を用い、前記情報処理端末より、該情報処理端末を特定する特定データを受信する特定データ受信手段と、前記特定データを含む認証要求を前記利用許可情報管理装置に送信する認証要求送信手段と、前記利用許可情報管理装置より認証結果を含む認証応答を受信する認証応答受信手段とを有することによって、認証を行って、登録されている情報処理端末にのみ、ネットワーク接続手段の利用を許可し、ネットワークのセキュリティを高めることができる。
【００２７】
例えば、利用許可情報管理装置とは、情報管理サーバに対応する。
【００２８】
また、請求項６記載の発明は、前記無線通信システムは、前記ネットワーク接続手段の利用を許可する利用許可情報を管理する利用許可情報管理装置を更に有し、前記ネットワーク接続手段は、前記赤外線通信手段と、当該赤外線通信装置の赤外線通信手段を用い、前記情報処理端末より、該情報処理端末を特定する特定データを受信する特定データ受信手段と、前記特定データを含む認証要求を前記利用許可情報管理装置に送信する認証要求送信手段と、前記利用許可情報管理装置より認証結果を含む認証応答を受信する認証応答受信手段とを有することを特徴とする。
【００２９】
請求項６記載の発明によれば、前記無線通信システムは、前記ネットワーク接続手段の利用を許可する利用許可情報を管理する利用許可情報管理装置を更に有し、前記ネットワーク接続手段は、前記赤外線通信手段と、当該赤外線通信装置の赤外線通信手段を用い、前記情報処理端末より、該情報処理端末を特定する特定データを受信する特定データ受信手段と、前記特定データを含む認証要求を前記利用許可情報管理装置に送信する認証要求送信手段と、前記利用許可情報管理装置より認証結果を含む認証応答を受信する認証応答受信手段とを有することによって、認証を行って、登録されている情報処理端末にのみ、ネットワーク接続手段の利用を許可し、ネットワークのセキュリティを高めることができる。
【００３０】
また、請求項７記載の発明は、前記無線通信システムは、前記赤外線通信装置を利用する場合に必要となる利用情報を管理する利用情報管理装置を更に有し、前記情報処理端末は、当該情報処理端末の赤外線通信手段を用い、前記赤外線通信装置より前記利用情報管理装置に係るアドレス情報を取得するアドレス情報取得手段と、前記無線通信手段を用い、前記アドレス情報を基に、前記利用情報管理装置より前記利用情報を取得する利用情報取得手段とを更に有することを特徴とする。
【００３１】
請求項７記載の発明によれば、前記無線通信システムは、前記赤外線通信装置を利用する場合に必要となる利用情報を管理する利用情報管理装置を更に有し、前記情報処理端末は、当該情報処理端末の赤外線通信手段を用い、前記赤外線通信装置より前記利用情報管理装置に係るアドレス情報を取得するアドレス情報取得手段と、前記無線通信手段を用い、前記アドレス情報を基に、前記利用情報管理装置より前記利用情報を取得する利用情報取得手段とを更に有することによって、赤外線通信装置の機能を利用する際に必要となる情報を効率よく取得することができる。
【００３２】
また、請求項８記載の発明は、前記無線通信システムは、前記ネットワークとインターネットを介して接続された、前記赤外線通信装置を利用する場合に必要となる利用情報を提供するＷｅｂサイトを更に有し、前記情報処理端末は、当該情報処理端末の赤外線通信手段を用い、前記赤外線通信装置より前記Ｗｅｂサイトのインターネットアドレスを取得するインターネットアドレス取得手段と、前記無線通信手段を用い、前記インターネットアドレスを基に、前記Ｗｅｂサイトより前記利用情報を取得する利用情報取得手段とを更に有することを特徴とする。
【００３３】
請求項８記載の発明によれば、前記無線通信システムは、前記ネットワークとインターネットを介して接続された、前記赤外線通信装置を利用する場合に必要となる利用情報を提供するＷｅｂサイトを更に有し、前記情報処理端末は、当該情報処理端末の赤外線通信手段を用い、前記赤外線通信装置より前記Ｗｅｂサイトのインターネットアドレスを取得するインターネットアドレス取得手段と、前記無線通信手段を用い、前記インターネットアドレスを基に、前記Ｗｅｂサイトより前記利用情報を取得する利用情報取得手段とを更に有することによって、赤外線通信装置の機能を利用する際に必要となる情報を効率よく取得することができる。
【００３４】
また、請求項９記載の発明は、無線通信を行う無線通信手段と赤外線通信を行う赤外線通信手段とを有する情報処理端末と、該情報処理端末をネットワークに接続するネットワーク接続手段と、該ネットワーク接続手段と前記ネットワークを介して接続された赤外線通信を行う赤外線通信手段を有する赤外線通信装置と、前記赤外線通信手段を有する携帯型赤外線通信装置とからなる無線通信システムであって、前記携帯型赤外線通信装置は、当該情報処理端末の赤外線通信手段を用い、前記赤外線通信装置より前記ネットワーク接続手段に係る設定情報を取得する設定情報取得手段と、当該情報処理端末の赤外線通信手段を用い、前記赤外線通信装置より該赤外線通信装置に係るアドレス情報を取得するアドレス情報取得手段とを有し、前記情報処理端末は、当該情報処理端末に挿入された前記携帯型赤外線通信装置より、前記ネットワーク接続手段に係る設定情報及び／又は前記赤外線通信装置に係るアドレス情報を読み取る読み取り手段を有することを特徴とする。
【００３５】
請求項９記載の発明によれば、無線通信を行う無線通信手段と赤外線通信を行う赤外線通信手段とを有する情報処理端末と、該情報処理端末をネットワークに接続するネットワーク接続手段と、該ネットワーク接続手段と前記ネットワークを介して接続された赤外線通信を行う赤外線通信手段を有する赤外線通信装置と、前記赤外線通信手段を有する携帯型赤外線通信装置とからなる無線通信システムであって、前記携帯型赤外線通信装置は、当該情報処理端末の赤外線通信手段を用い、前記赤外線通信装置より前記ネットワーク接続手段に係る設定情報を取得する設定情報取得手段と、当該情報処理端末の赤外線通信手段を用い、前記赤外線通信装置より該赤外線通信装置に係るアドレス情報を取得するアドレス情報取得手段とを有し、前記情報処理端末は、当該情報処理端末に挿入された前記携帯型赤外線通信装置より、前記ネットワーク接続手段に係る設定情報及び／又は前記赤外線通信装置に係るアドレス情報を読み取る読み取り手段を有することによって、情報処理端末を赤外線通信装置に近づけることなく、携帯型赤外線通信装置が取得した通信に必要な情報を読み取って使用することができる。
【００３６】
また、請求項１０記載の発明は、無線通信を行う無線通信手段と赤外線通信を行う赤外線通信手段とを有する情報処理端末と、該情報処理端末をネットワークに接続するネットワーク接続手段と、該ネットワーク接続手段と前記ネットワークを介して接続された赤外線通信を行う赤外線通信手段を有する赤外線通信装置と、前記赤外線通信手段を有する携帯型赤外線通信装置とからなる無線通信システムであって、前記携帯型赤外線通信装置は、当該情報処理端末の赤外線通信手段を用い、前記赤外線通信装置より前記ネットワーク接続手段に係る設定情報を取得する設定情報取得手段と、当該情報処理端末の赤外線通信手段を用い、前記赤外線通信装置より該赤外線通信装置に係るアドレス情報を取得するアドレス情報取得手段と前記赤外線通信手段を用い、前記ネットワーク接続手段に係る設定情報を前記情報処理端末に送信する設定情報送信手段と、前記赤外線通信手段を用い、前記赤外線通信装置に係るアドレス情報を前記情報処理端末に送信するアドレス情報送信手段とを有することを特徴とする。
【００３７】
請求項１０記載の発明によれば、無線通信を行う無線通信手段と赤外線通信を行う赤外線通信手段とを有する情報処理端末と、該情報処理端末をネットワークに接続するネットワーク接続手段と、該ネットワーク接続手段と前記ネットワークを介して接続された赤外線通信を行う赤外線通信手段を有する赤外線通信装置と、前記赤外線通信手段を有する携帯型赤外線通信装置とからなる無線通信システムであって、前記携帯型赤外線通信装置は、当該情報処理端末の赤外線通信手段を用い、前記赤外線通信装置より前記ネットワーク接続手段に係る設定情報を取得する設定情報取得手段と、当該情報処理端末の赤外線通信手段を用い、前記赤外線通信装置より該赤外線通信装置に係るアドレス情報を取得するアドレス情報取得手段と前記赤外線通信手段を用い、前記ネットワーク接続手段に係る設定情報を前記情報処理端末に送信する設定情報送信手段と、前記赤外線通信手段を用い、前記赤外線通信装置に係るアドレス情報を前記情報処理端末に送信するアドレス情報送信手段とを有することによって、情報処理端末を赤外線通信装置に近づけることなく、携帯型赤外線通信装置が取得した通信に必要な情報を受信して使用することができる。
【００３８】
また、請求項１１記載の発明は、無線通信を行う無線通信手段と赤外線通信を行う赤外線通信手段とを有する情報処理端末と、該情報処理端末をネットワークに接続するネットワーク接続手段と、該ネットワーク接続手段と前記ネットワークを介して接続された赤外線通信を行う赤外線通信手段を有する赤外線通信装置と、前記ネットワーク接続手段と前記ネットワークを介して接続された周辺装置とからなる無線通信システムであって、前記情報処理端末は、当該情報処理端末の赤外線通信手段を用い、前記赤外線通信装置より前記ネットワーク接続手段に係る設定情報を取得する設定情報取得手段と、当該情報処理端末の赤外線通信手段を用い、前記赤外線通信装置より前記周辺装置に係るアドレス情報を取得するアドレス情報取得手段と、前記無線通信手段を用い、前記ネットワーク接続手段を介して、前記周辺装置と接続を行う接続手段とを有することを特徴とする。
【００３９】
請求項１１記載の発明によれば、無線通信を行う無線通信手段と赤外線通信を行う赤外線通信手段とを有する情報処理端末と、該情報処理端末をネットワークに接続するネットワーク接続手段と、該ネットワーク接続手段と前記ネットワークを介して接続された赤外線通信を行う赤外線通信手段を有する赤外線通信装置と、前記ネットワーク接続手段と前記ネットワークを介して接続された周辺装置とからなる無線通信システムであって、前記情報処理端末は、当該情報処理端末の赤外線通信手段を用い、前記赤外線通信装置より前記ネットワーク接続手段に係る設定情報を取得する設定情報取得手段と、当該情報処理端末の赤外線通信手段を用い、前記赤外線通信装置より前記周辺装置に係るアドレス情報を取得するアドレス情報取得手段と、前記無線通信手段を用い、前記ネットワーク接続手段を介して、前記周辺装置と接続を行う接続手段とを有することによって、無線ＬＡＮアクセスポイントを用いたネットワーク環境下で効率よく情報処理端末と周辺装置との間で通信を行うことができる。
【００４０】
また、請求項１２記載の発明は、無線通信を行う無線通信手段と赤外線通信を行う赤外線通信手段とを有する情報処理端末と、該情報処理端末をネットワークに接続するネットワーク接続手段と、該ネットワーク接続手段と前記ネットワークを介して接続された赤外線通信を行う赤外線通信手段を有する赤外線通信装置と、サービスの提供を行うサービス提供装置とからなる無線通信システムであって、前記情報処理端末は、当該情報処理端末の赤外線通信手段を用い、前記赤外線通信装置より該赤外線通信装置を識別する識別子を取得する識別子取得手段と、当該情報処理端末の赤外線通信手段を用い、前記赤外線通信装置より前記ネットワーク接続手段に係る設定情報を取得する設定情報取得手段と、当該情報処理端末の赤外線通信手段を用い、前記赤外線通信装置より前記サービス提供装置に係るアドレス情報を取得するアドレス情報取得手段と、前記無線通信手段を用い、前記ネットワーク接続手段を介して、前記サービス提供装置から、前記識別子に対応したサービス情報を取得するサービス情報取得手段とを有することを特徴とする。
【００４１】
請求項１２記載の発明によれば、無線通信を行う無線通信手段と赤外線通信を行う赤外線通信手段とを有する情報処理端末と、該情報処理端末をネットワークに接続するネットワーク接続手段と、該ネットワーク接続手段と前記ネットワークを介して接続された赤外線通信を行う赤外線通信手段を有する赤外線通信装置と、サービスの提供を行うサービス提供装置とからなる無線通信システムであって、前記情報処理端末は、当該情報処理端末の赤外線通信手段を用い、前記赤外線通信装置より該赤外線通信装置を識別する識別子を取得する識別子取得手段と、当該情報処理端末の赤外線通信手段を用い、前記赤外線通信装置より前記ネットワーク接続手段に係る設定情報を取得する設定情報取得手段と、当該情報処理端末の赤外線通信手段を用い、前記赤外線通信装置より前記サービス提供装置に係るアドレス情報を取得するアドレス情報取得手段と、前記無線通信手段を用い、前記ネットワーク接続手段を介して、前記サービス提供装置から、前記識別子に対応したサービス情報を取得するサービス情報取得手段とを有することによって、無線ＬＡＮアクセスポイントを用いたネットワーク環境下で効率よく情報処理端末とサービス提供装置との間で通信を行い、サービス情報を取得することができる。
【００４２】
例えば、サービス提供装置とは、サービス提供サーバに対応する。
【００４３】
また、請求項１３記載の発明は、無線通信を行う無線通信手段と赤外線通信を行う赤外線通信手段とを有する情報処理端末と、該情報処理端末をネットワークに接続するネットワーク接続手段と、該ネットワーク接続手段と前記ネットワークを介して接続された赤外線通信を行う赤外線通信手段を有する赤外線通信装置とからなる無線通信システムにおける前記情報処理端末であって、当該情報処理端末の赤外線通信手段を用い、前記赤外線通信装置より前記ネットワーク接続手段に係る設定情報を取得する設定情報取得手段と、当該情報処理端末の赤外線通信手段を用い、前記赤外線通信装置より該赤外線通信装置に係るアドレス情報を取得するアドレス情報取得手段と、前記無線通信手段を用い、前記ネットワーク接続手段を介して、前記赤外線通信装置と接続を行う接続手段とを有することを特徴とする。
【００４４】
請求項１３記載の発明によれば、無線通信を行う無線通信手段と赤外線通信を行う赤外線通信手段とを有する情報処理端末と、該情報処理端末をネットワークに接続するネットワーク接続手段と、該ネットワーク接続手段と前記ネットワークを介して接続された赤外線通信を行う赤外線通信手段を有する赤外線通信装置とからなる無線通信システムにおける前記情報処理端末であって、当該情報処理端末の赤外線通信手段を用い、前記赤外線通信装置より前記ネットワーク接続手段に係る設定情報を取得する設定情報取得手段と、当該情報処理端末の赤外線通信手段を用い、前記赤外線通信装置より該赤外線通信装置に係るアドレス情報を取得するアドレス情報取得手段と、前記無線通信手段を用い、前記ネットワーク接続手段を介して、前記赤外線通信装置と接続を行う接続手段とを有することによって、無線ＬＡＮアクセスポイントを用いたネットワーク環境下で効率よく情報処理端末と赤外線通信装置との間で通信を行うことができる。
【００４５】
また、請求項１４記載の発明は、無線通信を行う無線通信手段と赤外線通信を行う赤外線通信手段とを有する情報処理端末と、該情報処理端末をネットワークに接続するネットワーク接続手段と、該ネットワーク接続手段と前記ネットワークを介して接続された赤外線通信を行う赤外線通信手段を有する赤外線通信装置とからなる無線通信システムにおける前記赤外線通信装置であって、前記情報処理端末からの要求に基づいて、前記赤外線通信手段を用い、前記情報処理端末に前記ネットワーク接続手段に係る設定情報を送信する設定情報送信手段と、前記情報処理端末からの要求に基づいて、前記赤外線通信手段を用い、当該赤外線通信装置に係るアドレス情報を送信するアドレス情報送信手段とを有することを特徴とする。
【００４６】
請求項１４記載の発明によれば、無線通信を行う無線通信手段と赤外線通信を行う赤外線通信手段とを有する情報処理端末と、該情報処理端末をネットワークに接続するネットワーク接続手段と、該ネットワーク接続手段と前記ネットワークを介して接続された赤外線通信を行う赤外線通信手段を有する赤外線通信装置とからなる無線通信システムにおける前記赤外線通信装置であって、前記情報処理端末からの要求に基づいて、前記赤外線通信手段を用い、前記情報処理端末に前記ネットワーク接続手段に係る設定情報を送信する設定情報送信手段と、前記情報処理端末からの要求に基づいて、前記赤外線通信手段を用い、当該赤外線通信装置に係るアドレス情報を送信するアドレス情報送信手段とを有することによって、無線ＬＡＮアクセスポイントを用いたネットワーク環境下で効率よく情報処理端末と赤外線通信装置との間で通信を行うことができる。
【００４７】
【発明の実施の形態】
以下、本発明の実施の形態について図面に基づいて説明する。
【００４８】
図１は、本発明による無線通信システムのシステム構成図（その１）である。
【００４９】
図１に示される無線通信システムは、ノートＰＣ１と、無線ＬＡＮアクセスポイント２と、カラープリンタ３と、モノクロプリンタ４と、イーサネット（登録商標）ＬＡＮ５とから構成される。
【００５０】
ノートＰＣ１は、後述する図２に示すように赤外線通信部１９と無線通信部２０とを両方備え、赤外線通信と無線通信とを行う。
【００５１】
ノートＰＣ１は、当該ノートＰＣ１の赤外線通信部１９を用い、例えば、赤外線データ通信の規格制定を目的として設立されたＩｒＤＡ（Ｉｎｆｒａｒｅｄ  Ｄａｔａ  Ａｓｓｏｃｉａｔｉｏｎ）が定めた通信規格に則り、後述する図３に示すように赤外線通信部４０を有するカラープリンタ３やモノクロプリンタ４等と赤外線リンクを確立し、赤外線通信を行う。
【００５２】
例えば、ノートＰＣ１は、当該ノートＰＣ１の赤外線通信部１９を用い、カラープリンタ３の赤外線通信部４０と赤外線通信を行い、カラープリンタ３より無線ＬＡＮアクセスポイント２の設定情報やイーサネット（登録商標）ＬＡＮ５内のカラープリンタ３のＩＰアドレスを取得する。
【００５３】
なお、ノートＰＣ１は、カラープリンタ３のＩＰアドレスと共にカラープリンタ３のホスト名等の情報も取得するようにしてもよい。
【００５４】
無線ＬＡＮアクセスポイント２の設定情報としては例えば、無線通信規格の名称、無線ＬＡＮアクセスポイント２で用いられている無線チャネル、変調方式及びＥＳＳＩＤの情報等である。
【００５５】
なお、無線ＬＡＮアクセスポイント２の設定情報として、無線通信を行う際にその通信内容を暗号化する暗号キーを含んでいてもよい。
【００５６】
また、無線ＬＡＮアクセスポイント２が、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１ａとＩＥＥＥ８０２．１１ｂとの両方の通信規格に対応している場合、カラープリンタ３は当該カラープリンタ３の赤外線通信部４０を用い、前記２つの通信規格を無線ＬＡＮアクセスポイント２の設定情報としてノートＰＣ１の赤外線通信部１９に送信し、ノートＰＣ１は、どちらか１つの通信規格をユーザに選択させるようノートＰＣ１の画面にダイアログボックスを表示する構成としてもよい。
【００５７】
ノートＰＣ１は、当該ノートＰＣ１の赤外線通信部１９を用い、カラープリンタ３より無線ＬＡＮアクセスポイント２の設定情報やイーサネット（登録商標）ＬＡＮ５内のカラープリンタ３のＩＰアドレス及びホスト名等の情報を取得すると、前記確立したカラープリンタ３との赤外線リンクを切断し、赤外線通信を終了する。
【００５８】
一方、ノートＰＣ１は、当該ノートＰＣ１の無線通信部２０を用い、前記取得した無線ＬＡＮアクセスポイント２の設定情報を基に、例えば、ＩＥＥＥが定めた無線ＬＡＮの規格であるＩＥＥＥ８０２．１１ｂに則り、無線ＬＡＮアクセスポイント２と無線通信を行う。
【００５９】
ノートＰＣ１は、無線ＬＡＮ通信装置を内蔵し、該無線ＬＡＮ通信装置を無線通信部２０として用い、無線通信を行う構成であっても良いし、ＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）スロットや、ＵＳＢ（Ｕｎｉｖｅｒｓａｌ  Ｓｅｒｉａｌ  Ｂｕｓ）スロットに挿入された無線ＬＡＮカードを無線通信部２０として用い、無線通信を行う構成であっても良い。
【００６０】
ノートＰＣ１は、当該ノートＰＣ１の無線通信部２０を用い、前記取得したカラープリンタ３のＩＰアドレス等を基に、無線ＬＡＮアクセスポイント２を介してカラープリンタ３と通信を行う。
【００６１】
例えば、ノートＰＣ１は、当該ノートＰＣ１の無線通信部２０を用い、ドキュメント等を、無線ＬＡＮアクセスポイント２を介してカラープリンタ３に送信し、印刷を行ったりする。
【００６２】
なお、無線通信部２０は、例えば、ＩＥＥＥ８０２．１１ａ規格や、ＩＥＥＥ８０２．１１ｇ規格、携帯情報装置向けの無線通信技術であるＢｌｕｅｔｏｏｔｈ等を用いて通信を行うようにしてもよい。
【００６３】
また、カラープリンタ３等と赤外線通信を行い、カラープリンタ３やモノクロプリンタ４等を利用する端末はノートＰＣ１に限られない。例えば、ＰＤＡ等の携帯情報端末であってもよい。
【００６４】
以下、ノートＰＣ１のハードウェア構成を、図２を用いて説明する。
【００６５】
図２は、ノートＰＣの一例のハードウェア構成図である。
【００６６】
図２に示されるノートＰＣ１のハードウェア構成は、それぞれバスで相互に接続されている入力部１１と、表示部１２と、ドライブ部１３と、ＲＯＭ（Ｒｅａｄ  Ｏｎｌｙ  Ｍｅｍｏｒｙ）１４と、ＲＡＭ（Ｒａｎｄｏｍ  Ａｃｃｅｓｓ  Ｍｅｍｏｒｙ）１５と、ＣＰＵ（Ｃｅｎｔｒａｌ  Ｐｒｏｃｅｓｓｉｎｇ  Ｕｎｉｔ）１６と、インターフェース部１７と、ＨＤ（Ｈａｒｄ  Ｄｉｓｋ）１８と、赤外線通信部１９と、無線通信部２０とから構成されている。
【００６７】
入力部１１は、キーボード及びマウス等で構成され、ノートＰＣ１に各種操作信号を入力するのに用いられる。
【００６８】
表示部１２は、ノートＰＣ１のユーザが利用する液晶ディスプレイ等で構成される。
【００６９】
インターフェース部１７は、ノートＰＣ１をイーサネット（登録商標）ＬＡＮ５に接続するインターフェースである。
【００７０】
ノートＰＣ１のプログラムは、例えば、ＣＤ−ＲＯＭ等の記録媒体によってノートＰＣ１に提供されるか、イーサネット（登録商標）ＬＡＮ５を通じてダウンロードされる。記録媒体は、ドライブ部１３にセットされ、前記プログラムデータが記録媒体からドライブ部１３を介してＲＯＭ１４にインストールされる。
【００７１】
ＲＯＭ１４は、データや前記プログラム等を格納する。ＲＡＭ１５は、ノートＰＣ１の起動時にＲＯＭ１４から前記プログラム等を読み出して格納する。ＣＰＵ１６は、ＲＡＭ１５に読み出され、格納された前記プログラム等に従って処理を実行する。
【００７２】
ＨＤ３９は、データやファイル等を格納する。
【００７３】
赤外線通信部１９は、上述したように、ＩｒＤＡが定めた通信規格に則り、後述する赤外線通信部４０を有するカラープリンタ３やモノクロプリンタ４等と赤外線リンクを確立し、赤外線通信を行う。
【００７４】
無線通信部２０は、上述したように、ＩＥＥＥが定めた無線ＬＡＮの規格であるＩＥＥＥ８０２．１１ｂに則り、無線ＬＡＮアクセスポイント２等と接続を行い、無線通信を行う。
【００７５】
以下、カラープリンタ３のハードウェア構成を、図３を用いて説明する。
【００７６】
図３は、カラープリンタの一例のハードウェア構成図である。
【００７７】
図３に示されるカラープリンタ３のハードウェア構成は、それぞれバスで相互に接続されている入力・表示部３１と、ドライブ部３２と、ＲＯＭ３３と、ＲＡＭ３４と、ＣＰＵ３５と、インターフェース部３６と、ＨＤ３７と、読み取り部３８と、印字部３９と、赤外線通信部４０とから構成されている。
【００７８】
入力・表示部３１は、オペレーションパネル等で構成され、カラープリンタ３に各種操作信号を入力したり、操作に必要な情報を表示したりする。
【００７９】
インターフェース部３６は、カラープリンタ３をイーサネット（登録商標）ＬＡＮ５に接続するインターフェースである。
【００８０】
カラープリンタ３のプログラムは、例えば、ＣＤ−ＲＯＭ等の記録媒体によってカラープリンタ３に提供されるか、イーサネット（登録商標）ＬＡＮ５を通じてダウンロードされる。記録媒体は、ドライブ部３２にセットされ、前記プログラムやデータが記録媒体からドライブ部３２を介してＲＯＭ３３にインストールされる。
【００８１】
ＲＯＭ３３は、データや前記プログラム等を格納する。ＲＡＭ３４は、カラープリンタ３の起動時にＲＯＭ３３から前記プログラム等を読み出して格納する。ＣＰＵ３５は、ＲＡＭ３４に読み出され、格納された前記プログラム等に従って処理を実行する。
【００８２】
ＨＤ３７は、例えば、後述するように、当該カラープリンタ３のＩＰアドレスや周辺機器のＩＰアドレス及び無線ＬＡＮアクセスポイント２の設定情報等を格納する。
【００８３】
読み取り部３８は、画像の形成に係る画像や文書等のデータを読み取る。
【００８４】
印字部３９は、読み取り部３８で読み取った画像や文書等のデータを印字する。
【００８５】
赤外線通信部４０は、上述したように、ＩｒＤＡが定めた通信規格に則り、赤外線通信部１９を有するノートＰＣ１等と赤外線リンクを確立し、赤外線通信を行う。
【００８６】
なお、図２に示すモノクロプリンタ４のハードウェア構成も図３に示すカラープリンタ３のハードウェア構成と同様である。
【００８７】
以下、ノートＰＣ１が、無線ＬＡＮアクセスポイント２と接続し、カラープリンタ３を利用する処理の一例を、図４を用いて説明する。
【００８８】
図４は、カラープリンタ利用処理の一例を説明するためのフローチャートである。
【００８９】
ステップＳ１０においてノートＰＣ１は、当該ノートＰＣ１の赤外線通信部１９を用い、図１に示すシステム構成においてカラープリンタ３と赤外線リンクを確立する。
【００９０】
ステップＳ１０に続いてステップＳ１１に進み、ノートＰＣ１は、当該ノートＰＣ１の赤外線通信部１９を用い、カラープリンタ３より無線ＬＡＮアクセスポイント２の設定情報を取得する。
【００９１】
上述したように、無線ＬＡＮアクセスポイント２の設定情報としては例えば、無線通信規格の名称、無線ＬＡＮアクセスポイント２で用いられている無線チャネル、変調方式及びＥＳＳＩＤの情報等がある。
【００９２】
ステップＳ１１に続いてステップＳ１２に進み、ノートＰＣ１は、当該ノートＰＣ１の赤外線通信部１９を用い、カラープリンタ３よりカラープリンタ３のＩＰアドレスを取得する。なお、上述したように、ノートＰＣ１は、カラープリンタ３のＩＰアドレスと共にカラープリンタ３のホスト名等の情報も取得するようにしてもよい。
【００９３】
例えば、カラープリンタ３は、図３のＨＤ３７等に、当該装置のＩＰアドレスと無線ＬＡＮアクセスポイント２の設定情報とを有する。
【００９４】
ステップＳ１２に続いてステップＳ１３に進み、ノートＰＣ１は、カラープリンタ３との赤外線リンクを切断する。
【００９５】
ステップＳ１３に続いてステップＳ１４に進み、ノートＰＣ１は、当該ノートＰＣ１の無線通信部２０を用い、ステップＳ１１において取得した無線ＬＡＮアクセスポイント２の設定情報を基に、対応する無線ＬＡＮアクセスポイント２を検索する。
【００９６】
ステップＳ１４に続いてステップＳ１５に進み、ノートＰＣ１は、当該ノートＰＣ１の無線通信部２０を用い、ステップＳ１４において検索した無線ＬＡＮアクセスポイント２と接続する。
【００９７】
ステップＳ１５に続いてステップＳ１６に進み、ノートＰＣ１は、当該ノートＰＣ１の無線通信部２０を用い、無線ＬＡＮアクセスポイント２を介し、ステップＳ１２においてＩＰアドレスを取得したカラープリンタ３と接続する。
【００９８】
ステップＳ１６に続いてステップＳ１７に進み、ノートＰＣ１は、当該ノートＰＣ１の無線通信部２０を用い、無線ＬＡＮアクセスポイント２を介し、カラープリンタ３の機能を利用する。
【００９９】
例えば、ノートＰＣ１は、カラープリンタ３にノートＰＣ１に格納されている文書を送信し、印刷の要求を行ったりする。
【０１００】
なお、図１においては、無線ＬＡＮアクセスポイント２とカラープリンタ３とはイーサネット（登録商標）ＬＡＮ５によって接続されているが、カラープリンタ３が無線通信機能を有し、カラープリンタ３と無線ＬＡＮアクセスポイント２とが無線通信を行うように構成されていてもよい。
【０１０１】
図４に示されるような処理を行うことによって、例えば、ノートＰＣ１のユーザは、目の前にあるカラープリンタ３のＩＰアドレスが分からなくて、カラープリンタ３を利用できない問題や、無線ＬＡＮアクセスポイント２の設定情報が分からず、無線ＬＡＮアクセスポイント２と接続ができない問題等を解消することができる。
【０１０２】
特に、複数の無線ＬＡＮアクセスポイント２がイーサネット（登録商標）ＬＡＮ５で接続された大規模なネットワーク環境においては、異なる無線ＬＡＮアクセスポイント２において異なる無線チャネル等が使用されているため、設定情報が異なるが、図４に示すような処理を行うことによって、効率よく素早くノートＰＣ１と無線ＬＡＮアクセスポイント２とを接続することができる。
【０１０３】
また、複数のプリンタがイーサネット（登録商標）ＬＡＮ５に接続されたているようなネットワーク環境においては、イーサネット（登録商標）ＬＡＮ５上で発見されたプリンタのどれが、目の前にあるプリンタなのか、図４に示すような処理を行うことによって、効率よく知ることができ、該プリンタを利用することができる。
【０１０４】
なお、図４においては、ステップＳ１１とステップＳ１２とに示すように、無線ＬＡＮアクセスポイント２の設定情報とＩＰアドレス、図４の例においてはカラープリンタ３のＩＰアドレス、との取得処理を２つに分けて説明を行ったが、１度の取得処理によって、無線ＬＡＮアクセスポイント２の設定情報とＩＰアドレスとを取得するようにしてもよい。以下においても同様である。
【０１０５】
上述した図４においては、カラープリンタ３とノートＰＣ１とが赤外線通信を行い、ノートＰＣ１が、カラープリンタ３より無線ＬＡＮアクセスポイント２の設定情報とカラープリンタ３のＩＰアドレスとを取得し、無線ＬＡＮアクセスポイント２を介してカラープリンタ３を利用する例を示したが、以下では、カラープリンタ３がモノクロプリンタ４のＩＰアドレスも有し、ノートＰＣ１が、カラープリンタ３より無線ＬＡＮアクセスポイント２の設定情報とモノクロプリンタ４のＩＰアドレスとを取得し、無線ＬＡＮアクセスポイント２を介してモノクロプリンタ４を利用する一例を、図５を用いて説明する。
【０１０６】
図５は、モノクロプリンタ利用処理の一例を説明するためのフローチャートである。
【０１０７】
ステップＳ２０においてノートＰＣ１は、当該ノートＰＣ１の赤外線通信部１９を用い、図１に示すシステム構成においてカラープリンタ３と赤外線リンクを確立する。
【０１０８】
ステップＳ２０に続いてステップＳ２１に進み、ノートＰＣ１は、当該ノートＰＣ１の赤外線通信部１９を用い、カラープリンタ３より無線ＬＡＮアクセスポイント２の設定情報を取得する。
【０１０９】
ステップＳ２１に続いてステップＳ２２に進み、ノートＰＣ１は、当該ノートＰＣ１の赤外線通信部１９を用い、カラープリンタ３よりモノクロプリンタ４のＩＰアドレスを取得する。なお、ノートＰＣ１は、モノクロプリンタ４のＩＰアドレスと共にモノクロプリンタ４のホスト名等の情報も取得するようにしてもよい。
【０１１０】
例えば、カラープリンタ３は、図３のＨＤ３７等に、周辺の機器、図１に示すシステム構成においてはモノクロプリンタ４、のＩＰアドレスと無線ＬＡＮアクセスポイント２の設定情報とを有する。
【０１１１】
ステップＳ２２に続いてステップＳ２３に進み、ノートＰＣ１は、カラープリンタ３との赤外線リンクを切断する。
【０１１２】
ステップＳ２３に続いてステップＳ２４に進み、ノートＰＣ１は、当該ノートＰＣ１の無線通信部２０を用い、ステップＳ２１において取得した無線ＬＡＮアクセスポイント２の設定情報を基に、対応する無線ＬＡＮアクセスポイント２を検索する。
【０１１３】
ステップＳ２４に続いてステップＳ２５に進み、ノートＰＣ１は、当該ノートＰＣ１の無線通信部２０を用い、ステップＳ２４において検索した無線ＬＡＮアクセスポイント２と接続する。
【０１１４】
ステップＳ２５に続いてステップＳ２６に進み、ノートＰＣ１は、当該ノートＰＣ１の無線通信部２０を用い、無線ＬＡＮアクセスポイント２を介し、ステップＳ２２においてＩＰアドレスを取得したモノクロプリンタ４と接続する。
【０１１５】
ステップＳ２６に続いてステップＳ２７に進み、ノートＰＣ１は、当該ノートＰＣ１の無線通信部２０を用い、無線ＬＡＮアクセスポイント２を介し、モノクロプリンタ４の機能を利用する。
【０１１６】
例えば、ノートＰＣ１は、モノクロプリンタ４にノートＰＣ１に格納されている文書を送信し、印刷の要求を行ったりする。
【０１１７】
なお、図１においては、無線ＬＡＮアクセスポイント２とモノクロプリンタ４とはイーサネット（登録商標）ＬＡＮ５によって接続されているが、モノクロプリンタ４が無線通信機能を有し、モノクロプリンタ４と無線ＬＡＮアクセスポイント２とが無線通信を行うように構成されていてもよい。
【０１１８】
図５に示すような処理を行うことによって、例えば、ノートＰＣ１のユーザは、目の前にあるカラープリンタ３の周辺の機器、例えば図１に示すシステム構成においてモノクロプリンタ４、のＩＰアドレスを取得し、利用することができる。
【０１１９】
例えば、図５のステップＳ２２において、ノートＰＣ１が印刷条件にあうプリンタの検索要求をカラープリンタ３に送信し、カラープリンタ３より、前記検索要求に合うプリンタのＩＰアドレスを受信するような構成としてもよい。このような構成を取ることによって、ノートＰＣ１のユーザは、複数のプリンタがイーサネット（登録商標）ＬＡＮ５上に接続されている環境において、目の前等にあるプリンタより、条件にあったプリンタのＩＰアドレス等を取得し、該プリンタを利用することができる。
【０１２０】
上述したように、図４においては、ノートＰＣ１が、直接赤外線通信を行うカラープリンタ３のＩＰアドレスと無線ＬＡＮアクセスポイント２の設定情報とを取得し、無線ＬＡＮアクセスポイント２を介してカラープリンタ３と通信を行い、カラープリンタ３を利用する一例を示した。
【０１２１】
また、図５においては、ノートＰＣ１が、カラープリンタ３と赤外線通信を行い、カラープリンタ３より、カラープリンタ３の周辺機器であるモノクロプリンタ４のＩＰアドレスと無線ＬＡＮアクセスポイント２の設定情報とを取得し、無線ＬＡＮアクセスポイント２を介してモノクロプリンタ４と通信を行い、モノクロプリンタ４を利用する一例を示した。
【０１２２】
以下では、ノートＰＣ１が、カラープリンタ３と赤外線通信を行い、カラープリンタ３より、カラープリンタ３のＩＰアドレスとカラープリンタ３の周辺機器であるモノクロプリンタ４のＩＰアドレスと無線ＬＡＮアクセスポイント２の設定情報とを取得し、無線ＬＡＮアクセスポイント２を介して、選択したプリンタを利用する処理の一例を、図６を用いて説明する。
【０１２３】
図６は、プリンタ選択・利用処理の一例を説明するためのフローチャートである。
【０１２４】
ステップＳ３０においてノートＰＣ１は、当該ノートＰＣ１の赤外線通信部１９を用い、図１に示すシステム構成においてカラープリンタ３と赤外線リンクを確立する。
【０１２５】
ステップＳ３０に続いてステップＳ３１に進み、ノートＰＣ１は、当該ノートＰＣ１の赤外線通信部１９を用い、カラープリンタ３より無線ＬＡＮアクセスポイント２の設定情報を取得する。
【０１２６】
ステップＳ３１に続いてステップＳ３２に進み、ノートＰＣ１は、当該ノートＰＣ１の赤外線通信部１９を用い、カラープリンタ３よりカラープリンタ３のＩＰアドレスとモノクロプリンタ４のＩＰアドレスとを取得する。なお、ノートＰＣ１は、それぞれプリンタのＩＰアドレスと共にそれぞれのプリンタのホスト名等の情報も取得するようにしてもよい。
【０１２７】
例えば、カラープリンタ３は、図３のＨＤ３７等に、当該装置のＩＰアドレスと周辺の機器、図１に示すシステム構成においてはモノクロプリンタ４、のＩＰアドレスと無線ＬＡＮアクセスポイント２の設定情報とを有する。
【０１２８】
ステップＳ３２に続いてステップＳ３３に進み、ノートＰＣ１は、カラープリンタ３との赤外線リンクを切断する。
【０１２９】
ステップＳ３３に続いてステップＳ３４に進み、ノートＰＣ１は、当該ノートＰＣ１の無線通信部２０を用い、ステップＳ３１において取得した無線ＬＡＮアクセスポイント２の設定情報を基に、対応する無線ＬＡＮアクセスポイント２を検索する。
【０１３０】
ステップＳ３４に続いてステップＳ３５に進み、ノートＰＣ１は、当該ノートＰＣ１の無線通信部２０を用い、ステップＳ３４において検索した無線ＬＡＮアクセスポイント２と接続する。
【０１３１】
ステップＳ３４に続いてステップＳ３５に進み、ノートＰＣ１は、当該ノートＰＣ１の無線通信部２０を用い、ステップＳ３４において検索した無線ＬＡＮアクセスポイント２と接続する。
【０１３２】
ステップＳ３５に続いてステップＳ３６に進み、ノートＰＣ１は、どのプリンタを利用するかを判定する。ステップＳ３６においてカラープリンタ３を利用すると判定するとステップＳ３７に進み、モノクロプリンタ４を利用すると判定するとステップＳ３９に進む。
【０１３３】
例えば、ノートＰＣ１は、ステップＳ３２において取得したＩＰアドレスを基に、どのプリンタを利用するかノートＰＣ１のユーザに選択させる画面を作成し、ユーザに提供する。ユーザがカラープリンタ３を利用すると選択した旨の情報を取得すると、ノートＰＣ１は、カラープリンタ３を利用すると判定し、ユーザがモノクロプリンタ４を利用すると選択した旨の情報を取得すると、ノートＰＣ１は、モノクロプリンタ４を利用すると判定する。
【０１３４】
ステップＳ３７においてノートＰＣ１は、当該ノートＰＣ１の無線通信部２０を用い、無線ＬＡＮアクセスポイント２を介し、カラープリンタ３と接続する。
【０１３５】
ステップＳ３７に続いてステップＳ３８に進み、ノートＰＣ１は、当該ノートＰＣ１の無線通信部２０を用い、無線ＬＡＮアクセスポイント２を介し、カラープリンタ３の機能を利用する。
【０１３６】
例えば、ノートＰＣ１は、カラープリンタ３にノートＰＣ１に格納されている文書を送信し、印刷の要求を行ったりする。
【０１３７】
また、ステップＳ３９においてノートＰＣ１は、当該ノートＰＣ１の無線通信部２０を用い、無線ＬＡＮアクセスポイント２を介し、モノクロプリンタ４と接続する。
【０１３８】
ステップＳ３９に続いてステップＳ４０に進み、ノートＰＣ１は、当該ノートＰＣ１の無線通信部２０を用い、無線ＬＡＮアクセスポイント２を介し、モノクロプリンタ４の機能を利用する。
【０１３９】
例えば、ノートＰＣ１は、モノクロプリンタ４にノートＰＣ１に格納されている文書を送信し、印刷の要求を行ったりする。
【０１４０】
図６に示すような処理を行うことによって、例えば、ノートＰＣ１のユーザは、印刷の条件等に応じてプリンタを選択し、利用することができる。
【０１４１】
また、図４から図６に示した処理において、例えば、無線ＬＡＮアクセスポイント２の設定情報やカラープリンタ３のＩＰアドレス、周辺機器のＩＰアドレス等をＸＭＬ（Ｅｘｔｅｎｓｉｂｌｅ  Ｍａｒｋｋｕｐ  Ｌａｎｇｕａｇｅ）のようやタグ付けが可能な言語によって記述してもよい。
【０１４２】
なお、図１のシステム構成においては、周辺機器としてモノクロプリンタ４を例に説明を行ったが、プリンタ以外にもファクシミリやスキャナ、ＣＤ−Ｒ、ＣＤ−ＲＷ、ＤＶＤ−Ｒ、ＤＶＤ−ＲＷ、ＤＶＤ−ＲＡＭ、ＤＶＤ＋Ｒ、ＤＶＤ＋ＲＷ、ＭＯ等であってもよい。
【０１４３】
以下では、本発明による無線通信システムの他の例を、図７を用いて説明する。
【０１４４】
図７は、本発明による無線通信システムのシステム構成図（その２）である。
【０１４５】
図７に示される無線通信システムは、少なくとも１つ以上のノートＰＣ１と、無線ＬＡＮアクセスポイント２と、会議サーバ６と、イーサネット（登録商標）ＬＡＮ５とから構成される。
【０１４６】
図７に示すように、会議サーバ６は、プロジェクタを介して、会議の参加者全員が目視可能なスクリーン等に会議に係る文書等を表示する。会議の進行役は、該スクリーンに映し出された文書等を用いて会議を進行する。なお、該文書は例えば会議の進行役が予め作成し、会議サーバ６に格納した文書であったり、後述するように会議参加者がノートＰＣ１から無線ＬＡＮアクセスポイント２を介して会議サーバ６に送信し、格納した文書であったりする。
【０１４７】
会議参加者によって、会議室に持ち込まれたノートＰＣ１は、当該ノートＰＣ１の赤外線通信部１９を用い、後述する会議サーバ６の赤外線通信部４９と赤外線通信を行い、会議サーバ６より、会議サーバ６のＩＰアドレスや無線ＬＡＮアクセスポイント２の設定情報等を取得する。
【０１４８】
また、ノートＰＣ１は、当該ノートＰＣ１の無線通信部２０を用い、前記取得した無線ＬＡＮアクセスポイント２の設定情報を基に、無線ＬＡＮアクセスポイント２と無線通信を行う。
【０１４９】
例えば、ノートＰＣ１は、当該ノートＰＣ１の無線通信部２０を用い、無線ＬＡＮアクセスポイント２を介して、会議サーバ６に会議に係る文書等を送信し、格納する。
【０１５０】
以下、会議サーバ６のハードウェア構成を、図８を用いて説明する。
【０１５１】
図８は、会議サーバの一例のハードウェア構成図である。
【０１５２】
図８に示される会議サーバ６のハードウェア構成は、それぞれバスで相互に接続されている入力部４１と、表示部４２と、ドライブ部４３と、ＲＯＭ４４と、ＲＡＭ４５と、ＣＰＵ４６と、インターフェース部４７と、ＨＤ４８と、赤外線通信部４９とから構成されている。
【０１５３】
入力部４１は、キーボード及びマウス等で構成され、会議サーバ６に各種操作信号を入力するのに用いられる。
【０１５４】
表示部４２は、会議サーバ６のユーザが利用するディスプレイ等で構成される。
【０１５５】
インターフェース部４７は、会議サーバ６をイーサネット（登録商標）ＬＡＮ５に接続するインターフェースである。
【０１５６】
会議サーバ６のプログラムは、例えば、ＣＤ−ＲＯＭ等の記録媒体によって会議サーバ６に提供されるか、イーサネット（登録商標）ＬＡＮ５を通じてダウンロードされる。記録媒体は、ドライブ部４３にセットされ、前記プログラムやデータが記録媒体からドライブ部４３を介してＲＯＭ４４にインストールされる。
【０１５７】
ＲＯＭ４４は、データや前記プログラム等を格納する。ＲＡＭ４５は、会議サーバ６の起動時にＲＯＭ４４から前記プログラム等を読み出して格納する。ＣＰＵ４６は、ＲＡＭ４５に読み出され、格納された前記プログラム等に従って処理を実行する。
【０１５８】
ＨＤ４８は、会議の進行役や会議の参加者が格納する会議に係る文書データやファイル等を格納する。また、当該会議サーバ３のＩＰアドレスや、無線ＬＡＮアクセスポイント２の設定情報等も格納する。なお、図７には図示しなかったが、会議サーバ６と有線及び／又は無線で接続されたプリンタ等の周辺機器のＩＰアドレスも格納する構成としてもよい。
【０１５９】
赤外線通信部４９は、ＩｒＤＡが定めた通信規格に則り、ノートＰＣ１の赤外線通信部１９等と赤外線リンクを確立し、赤外線通信を行う。
【０１６０】
以下、ノートＰＣ１が、無線ＬＡＮアクセスポイント２と接続し、会議サーバ６に文書を格納する処理の一例を、図９を用いて説明する。
【０１６１】
図９は、文書格納処理の一例を説明するためのフローチャートである。
【０１６２】
ステップＳ５０においてノートＰＣ１は、当該ノートＰＣ１の赤外線通信部１９を用い、図７に示すシステム構成において会議サーバ６と赤外線リンクを確立する。
【０１６３】
ステップＳ５０に続いてステップＳ５１に進み、ノートＰＣ１は、当該ノートＰＣ１の赤外線通信部１９を用い、会議サーバ６より無線ＬＡＮアクセスポイント２の設定情報を取得する。
【０１６４】
無線ＬＡＮアクセスポイント２の設定情報としては例えば、無線通信規格の名称、無線ＬＡＮアクセスポイント２で用いられている無線チャネル、変調方式及びＥＳＳＩＤの情報等がある。
【０１６５】
ステップＳ５１に続いてステップＳ５２に進み、ノートＰＣ１は、当該ノートＰＣ１の赤外線通信部１９を用い、会議サーバ６よりカラープリンタ３のＩＰアドレスを取得する。
【０１６６】
ステップＳ５２に続いてステップＳ５３に進み、ノートＰＣ１は、会議サーバ６との赤外線リンクを切断する。
【０１６７】
ステップＳ５３に続いてステップＳ５４に進み、ノートＰＣ１は、当該ノートＰＣ１の無線通信部２０を用い、ステップＳ５１において取得した無線ＬＡＮアクセスポイント２の設定情報を基に、対応する無線ＬＡＮアクセスポイント２を検索する。
【０１６８】
ステップＳ５４に続いてステップＳ５５に進み、ノートＰＣ１は、当該ノートＰＣ１の無線通信部２０を用い、ステップＳ５４において検索した無線ＬＡＮアクセスポイント２と接続する。
【０１６９】
ステップＳ５５に続いてステップＳ５６に進み、ノートＰＣ１は、当該ノートＰＣ１の無線通信部２０を用い、無線ＬＡＮアクセスポイント２を介し、ステップＳ５２においてＩＰアドレスを取得した会議サーバ６と接続する。
【０１７０】
ステップＳ５６に続いてステップＳ５７に進み、ノートＰＣ１は、当該ノートＰＣ１の無線通信部２０を用い、無線ＬＡＮアクセスポイント２を介し、会議サーバ６に文書を送信し、格納する。
【０１７１】
なお、図７においては、無線ＬＡＮアクセスポイント２と会議サーバ６とはイーサネット（登録商標）ＬＡＮ５によって接続されているが、会議サーバ６が無線通信機能を有し、会議サーバ６と無線ＬＡＮアクセスポイント２とが無線通信を行うように構成されていてもよい。
【０１７２】
図９に示されるような処理を行うことによって、例えば、ノートＰＣ１のユーザは、目の前にある会議サーバ６のＩＰアドレスが分からなくて、会議サーバ６に文書を格納できない問題や、無線ＬＡＮアクセスポイント２の設定情報が分からず、無線ＬＡＮアクセスポイント２と接続ができない問題等を解消することができる。
【０１７３】
なお、図７には図示しなかったが、会議サーバ６が、当該会議サーバ６と有線及び／又は無線で接続されたプリンタ等の周辺機器のＩＰアドレスも有し、例えば図９のステップＳ５２等において、会議サーバのＩＰアドレスと共に前記周辺機器のＩＰアドレスも取得し、会議の参加者等が、ノートＰＣ１を用いて会議に必要な文書を会議室付近のプリンタ等で印刷することができる構成としてもよい。
【０１７４】
以下では、本発明による無線通信システムの他の例を、図１０を用いて説明する。
【０１７５】
図１０は、本発明による無線通信システムのシステム構成図（その３）である。
【０１７６】
図１０に示される無線通信システムは、少なくとも２台以上のノートＰＣ１と、無線ＬＡＮアクセスポイント２と、イーサネット（登録商標）ＬＡＮ５とから構成される。
【０１７７】
例えば、図１０に示されるユーザＡが有するノートＰＣ１が、既に無線ＬＡＮアクセスポイント２を介してイーサネット（登録商標）ＬＡＮ５に接続されている場合、ノートＰＣ２のユーザであるユーザＢは、当該ノートＰＣ１の赤外線通信部１９を用い、ユーザＡが有するノートＰＣ１と赤外線通信を行い、該ノートＰＣ１より該ノートＰＣ１のＩＰアドレスや無線ＬＡＮアクセスポイント２の設定情報等を取得する。
【０１７８】
既に無線ＬＡＮアクセスポイント２を介してイーサネット（登録商標）ＬＡＮ５に接続されているユーザＡが有するノートＰＣ１のＨＤ１８には、例えば、当該ノートＰＣ１自身のＩＰアドレスや無線ＬＡＮアクセスポイント２の設定情報等が格納されている。
【０１７９】
ユーザＢが有するノートＰＣ１は、当該ノートＰＣ１の無線通信部２０を用い、前記取得した無線ＬＡＮアクセスポイント２の設定情報を基に、無線ＬＡＮアクセスポイント２と無線通信を行う。
【０１８０】
ユーザＢが有するノートＰＣ１は、当該ノートＰＣ１の無線通信部２０を用い、無線ＬＡＮアクセスポイント２を介して、ユーザＡが有するノートＰＣ１と無線通信を行い、用意した文書等を送受信し、交換したりする。
【０１８１】
以下、ノートＰＣ１同士の通信の一例を、図１１を用いて説明する。
【０１８２】
図１１は、ノートＰＣ同士の通信処理の一例を説明するための図である。
【０１８３】
ステップＳ６０においてユーザＢが有するノートＰＣ１は、当該ノートＰＣ１の赤外線通信部１９を用い、図１０に示すシステム構成においてユーザＡが有するノートＰＣ１と赤外線リンクを確立する。
【０１８４】
ステップＳ６０に続いてステップＳ６１に進み、ユーザＢが有するノートＰＣ１は、当該ノートＰＣ１の赤外線通信部１９を用い、ユーザＡが有するノートＰＣ１より無線ＬＡＮアクセスポイント２の設定情報を取得する。
【０１８５】
無線ＬＡＮアクセスポイント２の設定情報としては例えば、無線通信規格の名称、無線ＬＡＮアクセスポイント２で用いられている無線チャネル、変調方式及びＥＳＳＩＤの情報等がある。
【０１８６】
ステップＳ６１に続いてステップＳ６２に進み、ユーザＢが有するノートＰＣ１は、当該ノートＰＣ１の赤外線通信部１９を用い、ユーザＡが有するノートＰＣ１より該ノートＰＣ１のＩＰアドレスを取得する。
【０１８７】
ステップＳ６２に続いてステップＳ６３に進み、ユーザＢが有するノートＰＣ１は、ユーザＡが有するノートＰＣ１との赤外線リンクを切断する。
【０１８８】
ステップＳ６３に続いてステップＳ６４に進み、ユーザＢが有するノートＰＣ１は、当該ノートＰＣ１の無線通信部２０を用い、ステップＳ６１において取得した無線ＬＡＮアクセスポイント２の設定情報を基に、対応する無線ＬＡＮアクセスポイント２を検索する。
【０１８９】
ステップＳ５４に続いてステップＳ５５に進み、ユーザＢが有するノートＰＣ１は、当該ノートＰＣ１の無線通信部２０を用い、ステップＳ５４において検索した無線ＬＡＮアクセスポイント２と接続する。
【０１９０】
ステップＳ６５に続いてステップＳ６６に進み、ユーザＢが有するノートＰＣ１は、当該ノートＰＣ１の無線通信部２０を用い、無線ＬＡＮアクセスポイント２を介し、ステップＳ６２においてＩＰアドレスを取得したユーザＡが有するノートＰＣ１と接続する。
【０１９１】
ステップＳ６６に続いてステップＳ６７に進み、ユーザＢが有するノートＰＣ１は、当該ノートＰＣ１の無線通信部２０を用い、無線ＬＡＮアクセスポイント２を介し、ユーザＡが有するノートＰＣ１と通信を行う。
【０１９２】
例えば、ユーザＢが有するノートＰＣ１は、ユーザＡが有するノートＰＣ１に文書を送信したり、ユーザＡが有するノートＰＣ１に格納されている文書を取得したりする。
【０１９３】
図１１に示す処理を行うことによって、ユーザＢが有するノートＰＣ１は、ユーザＡが有するノートＰＣ１と通信を行うことができる。
【０１９４】
なお、図１１に示す処理においては、上述したように、既に無線ＬＡＮアクセスポイント２を介してイーサネット（登録商標）ＬＡＮ５に接続されているユーザＡが有するノートＰＣ１のＨＤ１８には、例えば、当該ノートＰＣ１自身のＩＰアドレスや無線ＬＡＮアクセスポイント２の設定情報等が格納されている。
【０１９５】
また、ノートＰＣ１同士の通信の場合、図１０に示したような無線ＬＡＮアクセスポイント２を介して通信を行うのではなく、ノートＰＣ１の無線通信部２０を用いて、ノートＰＣ１同士、直接無線通信を行うようにしてもよい。
【０１９６】
以下、ノートＰＣ１同士の通信の他の例を、図１２を用いて説明する。
【０１９７】
図１２は、ノートＰＣ同士の通信処理の他の例を説明するための図である。
【０１９８】
ステップＳ７０においてユーザＢが有するノートＰＣ１は、当該ノートＰＣ１の赤外線通信部１９を用い、ユーザＡが有するノートＰＣ１と赤外線リンクを確立する。
【０１９９】
ステップＳ７０に続いてステップＳ７１に進み、ノートＰＣ１は、当該ノートＰＣ１の赤外線通信部１９を用い、ユーザＡが有するノートＰＣ１より該ノートＰＣ１のＩＰアドレスを取得する。
【０２００】
ステップＳ７１に続いてステップＳ７２に進み、ユーザＢが有するノートＰＣ１は、ユーザＡが有するノートＰＣ１との赤外線リンクを切断する。
【０２０１】
ステップＳ７２に続いてステップＳ７３に進み、ユーザＢが有するノートＰＣ１は、当該ノートＰＣ１の無線通信部２０を用い、ステップＳ７２において取得したユーザＡが有するノートＰＣ１のＩＰアドレスを基に、対応するノートＰＣ１を検索する。
【０２０２】
ステップＳ７３に続いてステップＳ７４に進み、ユーザＢが有するノートＰＣ１は、当該ノートＰＣ１の無線通信部２０を用い、ステップＳ５４において検索したユーザＡが有するノートＰＣ１と接続する。
【０２０３】
ステップＳ７４に続いてステップＳ７５に進み、ユーザＢが有するノートＰＣ１は、当該ノートＰＣ１の無線通信部２０を用い、直接ユーザＡが有するノートＰＣ１と通信を行う。
【０２０４】
例えば、ユーザＢが有するノートＰＣ１は、当該ノートＰＣ１の無線通信部２０を用い、直接ユーザＡが有するノートＰＣ１に文書を送信したり、ユーザＡが有するノートＰＣ１に格納されている文書を取得したりする。
【０２０５】
図１２に示す処理を行うことによって、ユーザＢが有するノートＰＣ１は、直接ユーザＡが有するノートＰＣ１と通信を行うことができる。
【０２０６】
なお、図１２に示す処理においては、ユーザＡが有するノートＰＣ１のＨＤ１８には、例えば、当該ノートＰＣ１自身のＩＰアドレスのみが格納されている。
【０２０７】
例えば、ノートＰＣ１のＨＤ１８内に、当該ノートＰＣ１自身が図１１に示した無線通信の方法又は図１２に示した無線通信の方法どちらに対応しているかの情報を格納しておき、該情報によって図１１の処理で他のノートＰＣ１と無線通信を行うか又は図１２の処理で他のノートＰＣ１と無線通信を行うかを切り分けるようにしてもよい。
【０２０８】
また、ノートＰＣ１がどちらの無線通信方法にも対応可能な場合、ユーザにどちらの方法で無線通信を行うかを選択させ、選択された無線通信方法によって、他のノートＰＣ１と無線通信するように構成してもよい。
【０２０９】
また、図１においては、ノートＰＣ１は無線ＬＡＮアクセスポイント２を介してカラープリンタ３及び／又はモノクロプリンタ４と無線通信を行う構成を用いて説明を行ったが、カラープリンタ３及び／又はモノクロプリンタ４が無線通信機能を有している場合は、ノートＰＣ１は、図１１及び図１２に示したように、直接カラープリンタ３及び／又はモノクロプリンタ４と無線通信を行うように構成してもよい。
【０２１０】
以下では、本発明による無線通信システムの他の例を、図１３を用いて説明する。
【０２１１】
図１３は、本発明による無線通信システムのシステム構成図（その４）である。
【０２１２】
図１３に示される無線通信システムは、ノートＰＣ１と、無線ＬＡＮアクセスポイント２と、カラープリンタ３と、認証サーバ７と、イーサネット（登録商標）ＬＡＮ５とから構成される。
【０２１３】
図１３に示されるシステム構成は、図１に示したシステム構成に比べて認証サーバ７が新たに追加されている。
【０２１４】
認証サーバ７は、無線ＬＡＮアクセスポイント２を利用してイーサネット（登録商標）ＬＡＮ５と接続可能な装置を識別するＭＡＣアドレスを格納し、他の装置からの認証要求を受信し、該認証要求に含まれるＭＡＣアドレスが、当該認証サーバ７に登録されているかどうかを確認し、前記認証要求に対する認証応答を要求元の装置に送信する。
【０２１５】
ノートＰＣ１は、当該ノートＰＣ１の赤外線通信部１９を用い、赤外線通信部４０を有するカラープリンタ３と赤外線リンクを確立し、赤外線通信を行う。
【０２１６】
ノートＰＣ１は、当該ノートＰＣ１の赤外線通信部１９を用い、カラープリンタ３の赤外線通信部４０と赤外線通信を行い、ノートＰＣ１の無線ＬＡＮＩ／Ｆに係るＭＡＣアドレスをカラープリンタ３に送信する。
【０２１７】
前記ＭＡＣアドレスを受信したカラープリンタ３は、当該カラープリンタ３とイーサネット（登録商標）ＬＡＮ５を介して接続されている認証サーバ７に、該ＭＡＣアドレスが、認証サーバ７に登録されているＭＡＣアドレスかどうかの認証要求を送信する。
【０２１８】
カラープリンタ３は、認証サーバ７より、前記認証要求に対応する認証応答を受信すると、認証結果をノートＰＣ１に送信する。
【０２１９】
ノートＰＣ１は、当該ノートＰＣ１がカラープリンタ３に送信したＭＡＣアドレスが、認証サーバ７に登録されていない旨の認証結果をカラープリンタ３より取得すると、カラープリンタ３との赤外線リンクを切断する。
【０２２０】
一方、ノートＰＣ１は、当該ノートＰＣ１がカラープリンタ３に送信したＭＡＣアドレスが、認証サーバ７に登録されている旨の認証結果を、カラープリンタ３より取得すると、無線ＬＡＮアクセスポイント２の設定情報や、カラープリンタ３のＩＰアドレスをカラープリンタ３より取得する。
【０２２１】
ノートＰＣ１は、当該ノートＰＣ１の赤外線通信部１９を用い、カラープリンタ３より無線ＬＡＮアクセスポイント２の設定情報やカラープリンタ３のＩＰアドレスを取得すると前記確立したカラープリンタ３との赤外線リンクを切断し、赤外線通信を終了する。
【０２２２】
ノートＰＣ１は、当該ノートＰＣ１の無線通信部２０を用い、前記取得した無線ＬＡＮアクセスポイント２の設定情報を基に、無線ＬＡＮアクセスポイント２と無線通信を行う。
【０２２３】
また、ノートＰＣ１は、当該ノートＰＣ１の無線通信部２０を用い、前記取得したカラープリンタ３のＩＰアドレス等を基に、無線ＬＡＮアクセスポイント２を介してカラープリンタ３と通信を行う。
【０２２４】
例えば、ノートＰＣ１は、当該ノートＰＣ１の無線通信部２０を用い、ドキュメント等を、無線ＬＡＮアクセスポイント２を介してカラープリンタ３に送信し、印刷を行ったりする。
【０２２５】
以下、認証サーバ７のハードウェア構成を、図１４を用いて説明する。
【０２２６】
図１４は、認証サーバの一例のハードウェア構成図である。
【０２２７】
図１４に示される認証サーバ７のハードウェア構成は、それぞれバスで相互に接続されている入力部５１と、表示部５２と、ドライブ部５３と、ＲＯＭ５４と、ＲＡＭ５５と、ＣＰＵ５６と、インターフェース部５７と、ＨＤ５８とから構成されている。
【０２２８】
入力部５１は、キーボード及びマウス等で構成され、認証サーバ７に各種操作信号を入力するのに用いられる。
【０２２９】
表示部５２は、認証サーバ７のユーザが利用するディスプレイ等で構成される。
【０２３０】
インターフェース部５７は、認証サーバ７をイーサネット（登録商標）ＬＡＮ５に接続するインターフェースである。
【０２３１】
認証サーバ７のプログラムは、例えば、ＣＤ−ＲＯＭ等の記録媒体によって認証サーバ７に提供されるか、イーサネット（登録商標）ＬＡＮ５を通じてダウンロードされる。記録媒体は、ドライブ部５３にセットされ、前記プログラムデータが記録媒体からドライブ部５３を介してＲＯＭ５４にインストールされる。
【０２３２】
ＲＯＭ５４は、データや前記プログラム等を格納する。ＲＡＭ５５は、認証サーバ７の起動時にＲＯＭ５４から前記プログラム等を読み出して格納する。ＣＰＵ５６は、ＲＡＭ５５に読み出され、格納された前記プログラム等に従って処理を実行する。
【０２３３】
ＨＤ５８は、無線を介してイーサネット（登録商標）ＬＡＮ５の利用を許可する装置を識別するＭＡＣアドレスを格納する。
【０２３４】
以下、ノートＰＣ１が、無線ＬＡＮアクセスポイント２と接続し、カラープリンタ３を利用する処理の他の例を、図１５を用いて説明する。
【０２３５】
図１５は、カラープリンタ利用処理の他の例を説明するためのフローチャートである。
【０２３６】
ステップＳ８０においてノートＰＣ１は、当該ノートＰＣ１の赤外線通信部１９を用い、図１３に示すシステム構成においてカラープリンタ３と赤外線リンクを確立する。
【０２３７】
ステップＳ８０に続いてステップＳ８１に進み、ノートＰＣ１は、当該ノートＰＣ１の赤外線通信部１９を用い、当該ノートＰＣ１のＭＡＣアドレスをカラープリンタ３に送信する。
【０２３８】
ステップＳ８１に続いてステップＳ８２に進み、ノートＰＣ１は、カラープリンタ３より、ＭＡＣアドレスの認証結果を受信する。
【０２３９】
ステップＳ８２に続いてステップＳ８３に進み、ノートＰＣ１は、当該ノートＰＣ１が無線ＬＡＮアクセスポイント２を利用してイーサネット（登録商標）ＬＡＮ５と接続することを許可されたかどうかを判定する。利用を許可されたと判定すると（ステップＳ８３においてＹＥＳ）、ステップＳ８５に進み、利用を許可されなかったと判定すると（ステップＳ８３においてＮＯ）、ステップＳ８４に進む。
【０２４０】
例えば、ノートＰＣ１は、カラープリンタ３より、認証が成功した旨の情報を取得すると、利用を許可されたと判定し、カラープリンタ３より、認証が失敗した旨の情報を取得すると、利用を許可されなかったと判定する。
【０２４１】
ステップＳ８４では、ノートＰＣ１が、カラープリンタ３との赤外線リンクを切断する。なお、図１５においてはノートＰＣ１が認証結果に基づいてカラープリンタ３との赤外線リンクを切断しているが、認証に失敗したノートＰＣ１に対しては、認証結果をノートＰＣ１に送信した後、カラープリンタ３が、認証に失敗したノートＰＣ１との赤外線リンクを切断するようにしてもよい。
【０２４２】
ステップＳ８５では、ノートＰＣ１が、当該ノートＰＣ１の赤外線通信部１９を用い、カラープリンタ３より無線ＬＡＮアクセスポイント２の設定情報を取得する。
【０２４３】
ステップＳ８５に続いてステップＳ８６に進み、ノートＰＣ１は、当該ノートＰＣ１の赤外線通信部１９を用い、カラープリンタ３よりカラープリンタ３のＩＰアドレスを取得する。
【０２４４】
ステップＳ８６に続いてステップＳ８７に進み、ノートＰＣ１は、カラープリンタ３との赤外線リンクを切断する。
【０２４５】
ステップＳ８７に続いてステップＳ８８に進み、ノートＰＣ１は、当該ノートＰＣ１の無線通信部２０を用い、ステップＳ８５において取得した無線ＬＡＮアクセスポイント２の設定情報を基に、対応する無線ＬＡＮアクセスポイント２を検索する。
【０２４６】
ステップＳ８８に続いてステップＳ８９に進み、ノートＰＣ１は、当該ノートＰＣ１の無線通信部２０を用い、ステップＳ８８において検索した無線ＬＡＮアクセスポイント２と接続する。
【０２４７】
ステップＳ８９に続いてステップＳ９０に進み、ノートＰＣ１は、当該ノートＰＣ１の無線通信部２０を用い、無線ＬＡＮアクセスポイント２を介し、ステップＳ８６においてＩＰアドレスを取得したカラープリンタ３と接続する。
【０２４８】
ステップＳ９０に続いてステップＳ９１に進み、ノートＰＣ１は、当該ノートＰＣ１の無線通信部２０を用い、無線ＬＡＮアクセスポイント２を介し、カラープリンタ３の機能を利用する。
【０２４９】
例えば、ノートＰＣ１は、カラープリンタ３にノートＰＣ１に格納されている文書を送信し、印刷の要求を行ったりする。
【０２５０】
図１５に示す処理を行うことによって、認証が成功した装置のみ、無線ＬＡＮアクセスポイント２を介し、イーサネット（登録商標）ＬＡＮ５上にある装置、図１３の例においてはカラープリンタ３、を利用することができ、システムのセキュリティを高めることができる。
【０２５１】
以下では、カラープリンタ３におけるＭＡＣアドレスの認証処理の一例を、図１６を用いて説明する。
【０２５２】
図１６は、ＭＡＣアドレスの認証処理の一例を説明するためのフローチャートである。
【０２５３】
ステップ１００においてカラープリンタ３は、当該カラープリンタ３の赤外線通信部４０を用い、ノートＰＣ１より、ノートＰＣ１のＭＡＣアドレスを受信する。
【０２５４】
ステップＳ１００に続いてステップＳ１０１に進み、カラープリンタ３は、当該カラープリンタ３とイーサネット（登録商標）ＬＡＮ５を介して接続されている認証サーバ７に、ステップＳ１００において受信したＭＡＣアドレスを含む、前記ノートＰＣ１の認証要求を送信する。
【０２５５】
ステップＳ１０１に続いてステップＳ１０２に進み、カラープリンタ３は、当該カラープリンタ３とイーサネット（登録商標）ＬＡＮ５を介して接続されている認証サーバ７より、ステップＳ１０１において送信した認証要求に対応する認証応答を受信する。
【０２５６】
ステップＳ１０２に続いてステップＳ１０３に進み、カラープリンタ３は、当該カラープリンタ３の赤外線通信部４０を用い、認証サーバ７における認証結果をノートＰＣ１に送信する。
【０２５７】
図１６に示す処理を行うことによって、カラープリンタ３は、接続の要求を行ってきたノートＰＣ１の認証を行い、例えば、認証に失敗したノートＰＣ１との赤外線リンクを切断し、システムのセキュリティを高めることができる。
【０２５８】
なお、図１３に示すようなシステム構成においては、上述したように、カラープリンタ３は、無線ＬＡＮアクセスポイント２の設定情報と、当該カラープリンタ３のＩＰアドレスと、認証サーバ７のＩＰアドレスとをＨＤ３７内に有している。
【０２５９】
以下では、本発明による無線通信システムの他の例を、図１７を用いて説明する。
【０２６０】
図１７は、本発明による無線通信システムのシステム構成図（その５）である。
【０２６１】
図１７に示される無線通信システムは、ノートＰＣ１と、無線ＬＡＮアクセスポイント２と、認証サーバ７と、イーサネット（登録商標）ＬＡＮ５とから構成される。
【０２６２】
図１７に示されるシステム構成は、図１３に示したシステム構成においてカラープリンタ３が行っていた、ノートＰＣ１よりＭＡＣアドレスを受信し、認証要求を認証サーバ７に送信し、該認証要求に対応する認証応答を取得し、ノートＰＣ１に認証結果を送信する処理を、無線ＬＡＮアクセスポイント２が行っている。
【０２６３】
図１７のシステム構成において、無線ＬＡＮアクセスポイント２は赤外線通信部を有し、ノートＰＣ１は、当該ノートＰＣ１の赤外線通信部１９を用い、無線ＬＡＮアクセスポイント２と赤外線通信を行う。
【０２６４】
ノートＰＣ１は、当該ノートＰＣ１の赤外線通信部１９を用い、無線ＬＡＮアクセスポイント２の赤外線通信部と赤外線通信を行い、ノートＰＣ１の無線ＬＡＮＩ／Ｆに係るＭＡＣアドレスを無線ＬＡＮアクセスポイント２に送信する。
【０２６５】
前記ＭＡＣアドレスを受信した無線ＬＡＮアクセスポイント２は、当該カラープリンタ３とイーサネット（登録商標）ＬＡＮ５を介して接続されている認証サーバ７に、該ＭＡＣアドレスが、認証サーバ７に登録されているＭＡＣアドレスかどうかの認証要求を送信する。
【０２６６】
無線ＬＡＮアクセスポイント２は、認証サーバ７より、前記認証要求に対応する認証応答を受信すると、認証結果をノートＰＣ１に送信する。
【０２６７】
ノートＰＣ１は、当該ノートＰＣ１が無線ＬＡＮアクセスポイント２に送信したＭＡＣアドレスが、認証サーバ７に登録されていない旨の認証結果を無線ＬＡＮアクセスポイント２より取得すると、無線ＬＡＮアクセスポイント２との赤外線リンクを切断する。
【０２６８】
一方、ノートＰＣ１は、当該ノートＰＣ１が無線ＬＡＮアクセスポイント２に送信したＭＡＣアドレスが、認証サーバ７に登録されている旨の認証結果を、無線ＬＡＮアクセスポイント２より取得すると、無線ＬＡＮアクセスポイント２の設定情報を無線ＬＡＮアクセスポイント２より取得する。
【０２６９】
ノートＰＣ１は、当該ノートＰＣ１の赤外線通信部１９を用い、無線ＬＡＮアクセスポイント２より無線ＬＡＮアクセスポイント２の設定情報を取得すると前記確立した無線ＬＡＮアクセスポイント２との赤外線リンクを切断し、赤外線通信を終了する。
【０２７０】
ノートＰＣ１は、当該ノートＰＣ１の無線通信部２０を用い、前記取得した無線ＬＡＮアクセスポイント２の設定情報を基に、無線ＬＡＮアクセスポイント２と無線通信を行う。
【０２７１】
以下、ノートＰＣ１が、無線ＬＡＮアクセスポイント２と接続する処理の一例を、図１８を用いて説明する。
【０２７２】
図１８は、無線ＬＡＮアクセスポイント接続処理の一例を説明するためのフローチャートである。
【０２７３】
ステップＳ１１０においてノートＰＣ１は、当該ノートＰＣ１の赤外線通信部１９を用い、図１７に示すシステム構成において無線ＬＡＮアクセスポイント２と赤外線リンクを確立する。
【０２７４】
ステップＳ１１０に続いてステップＳ１１１に進み、ノートＰＣ１は、当該ノートＰＣ１の赤外線通信部１９を用い、当該ノートＰＣ１のＭＡＣアドレスを無線ＬＡＮアクセスポイント２に送信する。
【０２７５】
ステップＳ１１１に続いてステップＳ１１２に進み、ノートＰＣ１は、無線ＬＡＮアクセスポイント２より、ＭＡＣアドレスの認証結果を受信する。
【０２７６】
ステップＳ１１２に続いてステップＳ１１３に進み、ノートＰＣ１は、当該ノートＰＣ１が無線ＬＡＮアクセスポイント２を利用してイーサネット（登録商標）ＬＡＮ５と接続することを許可されたかどうかを判定する。利用を許可されたと判定すると（ステップＳ１１３においてＹＥＳ）、ステップＳ１１５に進み、利用を許可されなかったと判定すると（ステップＳ１１３においてＮＯ）、ステップＳ１１４に進む。
【０２７７】
例えば、ノートＰＣ１は、無線ＬＡＮアクセスポイント２より、認証が成功した旨の情報を取得すると、利用を許可されたと判定し、無線ＬＡＮアクセスポイント２より、認証が失敗した旨の情報を取得すると、利用を許可されなかったと判定する。
【０２７８】
ステップＳ１１４では、ノートＰＣ１が、無線ＬＡＮアクセスポイント２との赤外線リンクを切断する。なお、図１８においてはノートＰＣ１が認証結果に基づいてカラープリンタ３との赤外線リンクを切断しているが、認証に失敗したノートＰＣ１に対しては、認証結果をノートＰＣ１に送信した後、無線ＬＡＮアクセスポイント２が、認証に失敗したノートＰＣ１との赤外線リンクを切断するようにしてもよい。
【０２７９】
ステップＳ１１５では、ノートＰＣ１が、当該ノートＰＣ１の赤外線通信部１９を用い、無線ＬＡＮアクセスポイント２より該無線ＬＡＮアクセスポイント２の設定情報を取得する。
【０２８０】
ステップＳ１１５に続いてステップＳ１１６に進み、ノートＰＣ１は、無線ＬＡＮアクセスポイント２との赤外線リンクを切断する。
【０２８１】
ステップＳ１１６に続いてステップＳ１１７に進み、ノートＰＣ１は、当該ノートＰＣ１の無線通信部２０を用い、ステップＳ１１５において取得した無線ＬＡＮアクセスポイント２の設定情報を基に、対応する無線ＬＡＮアクセスポイント２を検索する。
【０２８２】
ステップＳ１１７に続いてステップＳ１１８に進み、ノートＰＣ１は、当該ノートＰＣ１の無線通信部２０を用い、ステップＳ１１７において検索した無線ＬＡＮアクセスポイント２と接続する。
【０２８３】
図１５に示す処理を行うことによって、認証が成功した装置のみ、無線ＬＡＮアクセスポイント２を介し、イーサネット（登録商標）ＬＡＮ５に接続することができ、システムのセキュリティを高めることができる。
【０２８４】
なお、無線ＬＡＮアクセスポイント２におけるＭＡＣアドレスの認証処理は、図１６においてカラープリンタ３が行っていた処理と同様である。
【０２８５】
このような無線ＬＡＮアクセスポイント２は、ドライブ部とＲＯＭとＲＡＭとＣＰＵとインターフェース部とＨＤと無線通信部とを有するようなハードウェア構成を有し、無線ＬＡＮアクセスポイント２のＣＰＵは無線ＬＡＮアクセスポイント２用のプログラムに従い処理を実行し、例えば、上述したような図１６においてカラープリンタ３が行っていた処理と同様の処理を行う。
【０２８６】
以下では、本発明による無線通信システムの他の例を、図１９を用いて説明する。
【０２８７】
図１９は、本発明による無線通信システムのシステム構成図（その６）である。
【０２８８】
図１９に示される無線通信システムは、ノートＰＣ１と、無線ＬＡＮアクセスポイント２と、カラープリンタ３と、モノクロプリンタ４と、情報管理サーバ８と、イーサネット（登録商標）ＬＡＮ５とから構成される。
【０２８９】
図１３に示されるシステム構成は、図１に示したシステム構成に比べて情報管理サーバ８が新たに追加されている。
【０２９０】
情報管理サーバ８は、例えば、イーサネット（登録商標）ＬＡＮ５に接続されているカラープリンタ３やモノクロプリンタ４を利用する際に必要となるドライバや、該ドライバのインストール方法等、ある装置を利用する際に必要となる情報を保持し、管理している。
【０２９１】
ノートＰＣ１は、当該ノートＰＣ１の赤外線通信部１９を用い、赤外線通信部４０を有するカラープリンタ３と赤外線リンクを確立し、赤外線通信を行う。
【０２９２】
ノートＰＣ１は、当該ノートＰＣ１の赤外線通信部１９を用い、カラープリンタ３の赤外線通信部４０と赤外線通信を行い、カラープリンタ３より無線ＬＡＮアクセスポイント２の設定情報やイーサネット（登録商標）ＬＡＮ５内のカラープリンタ３のＩＰアドレスやカラープリンタ３のドライバを管理している情報管理サーバ８のＩＰアドレスを取得する。
【０２９３】
なお、情報管理サーバ８のＩＰアドレスだけでなく、ドライバのインストーラのアドレス（例えば、ｈｔｔｐ：／／１３３．１３９．２０７．１４０／ｄｒｉｖｅｒｓ／ｃｏｌｏｒｐｒｉｎｔ／ＳＥＴＵＰ．ＥＸＥ）を取得するようにしてもよい。
【０２９４】
ノートＰＣ１は、当該ノートＰＣ１の赤外線通信部１９を用い、カラープリンタ３より無線ＬＡＮアクセスポイント２の設定情報やイーサネット（登録商標）ＬＡＮ５内のカラープリンタ３のＩＰアドレス、情報管理サーバ８のＩＰアドレス等を取得すると前記確立したカラープリンタ３との赤外線リンクを切断し、赤外線通信を終了する。
【０２９５】
ノートＰＣ１は、当該ノートＰＣ１の無線通信部２０を用い、前記取得した無線ＬＡＮアクセスポイント２の設定情報を基に、無線ＬＡＮアクセスポイント２と無線通信を行う。
【０２９６】
また、ノートＰＣ１は、当該ノートＰＣ１の無線通信部２０を用い、前記取得したカラープリンタ３のＩＰアドレス等を基に、無線ＬＡＮアクセスポイント２を介してカラープリンタ３と接続を行う。
【０２９７】
ここで、カラープリンタ３を利用する際に必要となるカラープリンタ３のドライバが当該ノートＰＣ１にインストールされていない場合、ノートＰＣ１は、前記取得した情報管理サーバ８のＩＰアドレスを基に、情報管理サーバ８より情報管理サーバ８に保持され管理されているカラープリンタ３のドライバを取得し、インストールする。
【０２９８】
なお、上述したように、インストーラのアドレス（例えば、ｈｔｔｐ：／／１３３．１３９．２０７．１４０／ｄｒｉｖｅｒｓ／ｃｏｌｏｒｐｒｉｎｔ／ＳＥＴＵＰ．ＥＸＥ）を取得していた場合、ＨＴＴＰプロトコルによって該インストーラにアクセスし、ドライバをインストールするようにしてもよい。
【０２９９】
ドライバをインストールしたノートＰＣ１は、当該ノートＰＣ１の無線通信部２０を用い、ドキュメント等を、無線ＬＡＮアクセスポイント２を介してカラープリンタ３に送信し、印刷を行ったりする。
【０３００】
以下、情報管理サーバ８のハードウェア構成を、図２０を用いて説明する。
【０３０１】
図２０は、情報管理サーバの一例のハードウェア構成図である。
【０３０２】
図２０に示される情報管理サーバ８のハードウェア構成は、それぞれバスで相互に接続されている入力部６１と、表示部６２と、ドライブ部６３と、ＲＯＭ６４と、ＲＡＭ６５と、ＣＰＵ６６と、インターフェース部６７と、ＨＤ６８とから構成されている。
【０３０３】
入力部６１は、キーボード及びマウス等で構成され、情報管理サーバ８に各種操作信号を入力するのに用いられる。
【０３０４】
表示部６２は、情報管理サーバ８のユーザが利用するディスプレイ等で構成される。
【０３０５】
インターフェース部６７は、情報管理サーバ８をイーサネット（登録商標）ＬＡＮ５に接続するインターフェースである。
【０３０６】
情報管理サーバ８のプログラムは、例えば、ＣＤ−ＲＯＭ等の記録媒体によって情報管理サーバ８に提供されるか、イーサネット（登録商標）ＬＡＮ５を通じてダウンロードされる。記録媒体は、ドライブ部６３にセットされ、前記プログラムデータが記録媒体からドライブ部６３を介してＲＯＭ６４にインストールされる。
【０３０７】
ＲＯＭ６４は、データや前記プログラム等を格納する。ＲＡＭ６５は、情報管理サーバ８の起動時にＲＯＭ６４から前記プログラム等を読み出して格納する。ＣＰＵ６６は、ＲＡＭ６５に読み出され、格納された前記プログラム等に従って処理を実行する。
【０３０８】
ＨＤ６８は、イーサネット（登録商標）ＬＡＮ５に接続されているカラープリンタ３やモノクロプリンタ４を利用する際に必要となるドライバや、該ドライバのインストール方法や、会議サーバ６にインストールされているソフトウェアと通信を行う際に必要となるソフトウェア等を格納する。
【０３０９】
以下、ノートＰＣ１が、無線ＬＡＮアクセスポイント２と接続し、カラープリンタ３を利用する処理の他の例を、図２１を用いて説明する。
【０３１０】
図２１は、カラープリンタ利用処理の他の例を説明するためのフローチャートである。
【０３１１】
ステップＳ１２０においてノートＰＣ１は、当該ノートＰＣ１の赤外線通信部１９を用い、図１９に示すシステム構成においてカラープリンタ３と赤外線リンクを確立する。
【０３１２】
ステップＳ１２０に続いてステップＳ１２１に進み、ノートＰＣ１は、当該ノートＰＣ１の赤外線通信部１９を用い、カラープリンタ３より無線ＬＡＮアクセスポイント２の設定情報を取得する。
【０３１３】
ステップＳ１２１に続いてステップＳ１２２に進み、ノートＰＣ１は、当該ノートＰＣ１の赤外線通信部１９を用い、カラープリンタ３よりカラープリンタ３のＩＰアドレスを取得する。
【０３１４】
ステップＳ１２２に続いてステップＳ１２３に進み、ノートＰＣ１は、当該ノートＰＣ１の赤外線通信部１９を用い、カラープリンタ３より情報管理サーバ８のＩＰアドレスを取得する。
【０３１５】
ステップＳ１２３に続いてステップＳ１２４に進み、ノートＰＣ１は、カラープリンタ３との赤外線リンクを切断する。
【０３１６】
ステップＳ１２４に続いてステップＳ１２５に進み、ノートＰＣ１は、当該ノートＰＣ１の無線通信部２０を用い、ステップＳ１２１において取得した無線ＬＡＮアクセスポイント２の設定情報を基に、対応する無線ＬＡＮアクセスポイント２を検索する。
【０３１７】
ステップＳ１２５に続いてステップＳ１２６に進み、ノートＰＣ１は、当該ノートＰＣ１の無線通信部２０を用い、ステップＳ１２５において検索した無線ＬＡＮアクセスポイント２と接続する。
【０３１８】
ステップＳ１２６に続いてステップＳ１２７に進み、ノートＰＣ１は、当該ノートＰＣ１の無線通信部２０を用い、無線ＬＡＮアクセスポイント２を介し、ステップＳ１２２においてＩＰアドレスを取得したカラープリンタ３と接続する。
【０３１９】
ステップＳ１２７に続いてステップＳ１２８に進み、ノートＰＣ１は、ステップＳ１２７において接続したカラープリンタ３を利用する際に必要となる情報を有しているかどうかを判定する。
【０３２０】
カラープリンタ３を利用する際に必要となる情報を有していると判定すると（ステップＳ１２８においてＹＥＳ）、ステップＳ１３１に進み、有していないと判定すると（ステップＳ１２８においてＮＯ）、ステップＳ１２９に進む。
【０３２１】
例えば、ノートＰＣ１は、カラープリンタ３のドライバが当該ノートＰＣ１にインストールされていない場合、カラープリンタ３を利用する際に必要となる情報を有していないと判定する。また、カラープリンタ３のドライバが当該ノートＰＣ１にインストールされている場合、カラープリンタ３を利用する際に必要となる情報を有していると判定する。
【０３２２】
ステップＳ１２９では、ノートＰＣ１が、当該ノートＰＣ１の無線通信部２０を用い、無線ＬＡＮアクセスポイント２を介し、ステップＳ１２３においてＩＰアドレスを取得した情報管理サーバ８と接続する。
【０３２３】
ステップＳ１２９に続いてステップＳ１３０に進み、ノートＰＣ１は、情報管理サーバ８より、カラープリンタ３を利用する際に必要となる情報を取得する。
【０３２４】
例えば、ノートＰＣ１は、情報管理サーバ８より、カラープリンタ３のドライバを取得し、当該ノートＰＣ１にインストールする。
【０３２５】
ステップＳ１３０に続いてステップＳ１３１に進み、ノートＰＣ１は、当該ノートＰＣ１の無線通信部２０を用い、無線ＬＡＮアクセスポイント２を介し、カラープリンタ３の機能を利用する。
【０３２６】
例えば、ノートＰＣ１は、カラープリンタ３にノートＰＣ１に格納されている文書を送信し、印刷の要求を行ったりする。
【０３２７】
図２１に示す処理を行うことによって、例えば、ノートＰＣ１にカラープリンタ３のドライバがインストールされていなくても、該ドライバをインストールし、カラープリンタ３を利用することができる。
【０３２８】
なお、図１９に示すようなシステム構成においては、上述したように、カラープリンタ３は、無線ＬＡＮアクセスポイント２の設定情報と、当該カラープリンタ３のＩＰアドレスと、周辺機器、図１９の例においてはモノクロプリンタ４、のＩＰアドレスと、情報管理サーバ８のＩＰアドレスとをＨＤ３７内に有している。
【０３２９】
以下では、本発明による無線通信システムの他の例を、図２２を用いて説明する。
【０３３０】
図２２は、本発明による無線通信システムのシステム構成図（その７）である。
【０３３１】
図２２に示される無線通信システムは、少なくとも１つ以上のノートＰＣ１と、無線ＬＡＮアクセスポイント２と、会議サーバ６と、情報管理サーバ８と、イーサネット（登録商標）ＬＡＮ５とから構成される。
【０３３２】
図２２に示されるシステム構成は、図７に示したシステム構成に比べて情報管理サーバ８が新たに追加されている。
【０３３３】
該情報管理サーバ８は、図１９から図２１において説明した情報管理サーバ８と同じものである。
【０３３４】
情報管理サーバ８は、例えば、会議サーバ６にインストールされているソフトウェアと通信を行う際に必要となるクライアントのソフトウェア等、ある装置を利用する際に必要となる情報を保持し、管理している。
【０３３５】
会議参加者によって、会議室に持ち込まれたノートＰＣ１は、当該ノートＰＣ１の赤外線通信部１９を用い、会議サーバ６の赤外線通信部４９と赤外線通信を行い、会議サーバ６より、会議サーバ６のＩＰアドレスや無線ＬＡＮアクセスポイント２の設定情報、情報管理サーバ８のＩＰアドレス等を取得する。
【０３３６】
なお、情報管理サーバ８のＩＰアドレスだけでなく、会議サーバ６にインストールされているソフトウェアと通信を行う際に必要となるクライアントのソフトウェアのインストーラのアドレス（例えば、ｈｔｔｐ：／／１３３．１３９．２０７．１４０／ｄｒｉｖｅｒｓ／ｍｅｅｔｉｎｇｓｏｆｔ／ＳＥＴＵＰ．ＥＸＥ）を取得するようにしてもよい。
【０３３７】
ノートＰＣ１は、当該ノートＰＣ１の赤外線通信部１９を用い、会議サーバ６より無線ＬＡＮアクセスポイント２の設定情報や会議サーバ６のＩＰアドレス、情報管理サーバ８のＩＰアドレス等を取得すると前記確立した会議サーバ６との赤外線リンクを切断し、赤外線通信を終了する。
【０３３８】
ノートＰＣ１は、当該ノートＰＣ１の無線通信部２０を用い、前記取得した無線ＬＡＮアクセスポイント２の設定情報を基に、無線ＬＡＮアクセスポイント２と無線通信を行う。
【０３３９】
また、ノートＰＣ１は、当該ノートＰＣ１の無線通信部２０を用い、前記取得した会議サーバ６のＩＰアドレス等を基に、無線ＬＡＮアクセスポイント２を介して会議サーバ６と接続を行う。
【０３４０】
ここで、会議サーバ６にインストールされているソフトウェアと通信を行う際に必要となるクライアントのソフトウェアが当該ノートＰＣ１にインストールされていない場合、ノートＰＣ１は、前記取得した情報管理サーバ８のＩＰアドレスを基に、情報管理サーバ８より情報管理サーバ８に保持され管理されている会議サーバ６にインストールされているソフトウェアと通信を行う際に必要となるクライアントのソフトウェアを取得し、インストールする。
【０３４１】
なお、上述したように、インストーラのアドレス（例えば、ｈｔｔｐ：／／１３３．１３９．２０７．１４０／ｄｒｉｖｅｒｓ／ｍｅｅｔｉｎｇｓｏｆｔ  ／ＳＥＴＵＰ．ＥＸＥ）を取得していた場合、ＨＴＴＰプロトコルによって該インストーラにアクセスし、ソフトウェアをインストールするようにしてもよい。
【０３４２】
前記ソフトウェアをインストールしたノートＰＣ１は、該ソフトウェアを用いて、会議サーバ６にインストールされているソフトウェアと通信を行う。
【０３４３】
なお、図２２に示すようなシステム構成においては、上述したように、会議サーバ６は、無線ＬＡＮアクセスポイント２の設定情報と、当該会議サーバ６のＩＰアドレスと、情報管理サーバ８のＩＰアドレスとをＨＤ４８内に有している。
【０３４４】
以上、図１９から図２２において情報管理サーバ８が行っていた機能をインターネット上のサイトにおいて実現する一例を、以下において説明する。
【０３４５】
図２３は、本発明による無線通信システムのシステム構成図（その８）である。
【０３４６】
図２３に示される無線通信システムは、ノートＰＣ１と、無線ＬＡＮアクセスポイント２と、カラープリンタ３と、モノクロプリンタ４と、イーサネット（登録商標）ＬＡＮ５と、ゲートウェイ１０と、ゲートウェイ１０とインターネット２１を介して接続されたＷｅｂサーバ９とから構成される。
【０３４７】
図２３のシステム構成は、図１９のシステム構成と比べて、情報管理サーバ８の代わりにゲートウェイ１０とインターネット２１とＷｅｂサーバ９とが新たに追加されている。
【０３４８】
Ｗｅｂサーバ９は、例えば、カラープリンタ３のベンダーが提供するＷｅｂサイトを有し、該Ｗｅｂサイトでは、カラープリンタ３のドライバのインストーラや、該ドライバのインストール方法等が提供されている。
【０３４９】
ゲートウェイ１０は、イーサネット（登録商標）ＬＡＮ５とインターネット２１とを接続するインターフェース装置である。なお、セキュリティを考慮し、イーサネット（登録商標）ＬＡＮ５とインターネット２１との間にプロキシサーバ等を有する構成としてもよい。
【０３５０】
ノートＰＣ１は、当該ノートＰＣ１の赤外線通信部１９を用い、赤外線通信部４０を有するカラープリンタ３と赤外線リンクを確立し、赤外線通信を行う。
【０３５１】
ノートＰＣ１は、当該ノートＰＣ１の赤外線通信部１９を用い、カラープリンタ３の赤外線通信部４０と赤外線通信を行い、カラープリンタ３より無線ＬＡＮアクセスポイント２の設定情報や、イーサネット（登録商標）ＬＡＮ５内のカラープリンタ３のＩＰアドレスや、Ｗｅｂサーバ９のＵＲＬを取得する。
【０３５２】
なお、Ｗｅｂサーバ９のＵＲＬだけでなく、カラープリンタ３及び／又はモノクロプリンタ４のドライバのインストーラのアドレス（例えば、ｈｔｔｐ：／／ｐｒｉｎｔｅｒｍａｋｅｒ．ｃｏｍ／ｄｒｉｖｅｒｓ／ｃｏｌｏｒｐｒｉｎｔ１０１／ＳＥＴＵＰ．ＥＸＥ）を取得するようにしてもよい。
【０３５３】
ノートＰＣ１は、当該ノートＰＣ１の赤外線通信部１９を用い、カラープリンタ３より無線ＬＡＮアクセスポイント２の設定情報やイーサネット（登録商標）ＬＡＮ５内のカラープリンタ３のＩＰアドレス、Ｗｅｂサーバ９のＵＲＬ等を取得すると前記確立したカラープリンタ３との赤外線リンクを切断し、赤外線通信を終了する。
【０３５４】
ノートＰＣ１は、当該ノートＰＣ１の無線通信部２０を用い、前記取得した無線ＬＡＮアクセスポイント２の設定情報を基に、無線ＬＡＮアクセスポイント２と無線通信を行う。
【０３５５】
また、ノートＰＣ１は、当該ノートＰＣ１の無線通信部２０を用い、前記取得したカラープリンタ３のＩＰアドレス等を基に、無線ＬＡＮアクセスポイント２を介してカラープリンタ３と接続を行う。
【０３５６】
ここで、カラープリンタ３を利用する際に必要となるカラープリンタ３のドライバが当該ノートＰＣ１にインストールされていない場合、ノートＰＣ１は、前記取得したＷｅｂサーバ９のＵＲＬを基に、Ｗｅｂサーバ９よりカラープリンタ３のドライバを取得し、インストールする。
【０３５７】
なお、上述したように、インストーラのアドレス（例えば、ｈｔｔｐ：／／ｐｒｉｎｔｅｒｍａｋｅｒ．ｃｏｍ／ｄｒｉｖｅｒｓ／ｃｏｌｏｒｐｒｉｎｔ１０１／ＳＥＴＵＰ．ＥＸＥ）を取得していた場合、ＨＴＴＰプロトコルによって該インストーラにアクセスし、ドライバをインストールするようにしてもよい。
【０３５８】
ドライバをインストールしたノートＰＣ１は、当該ノートＰＣ１の無線通信部２０を用い、ドキュメント等を、無線ＬＡＮアクセスポイント２を介してカラープリンタ３に送信し、印刷を行ったりする。
【０３５９】
以下、Ｗｅｂサーバ９のハードウェア構成を、図２４を用いて説明する。
【０３６０】
図２４は、Ｗｅｂサーバの一例のハードウェア構成図である。
【０３６１】
図２４に示されるＷｅｂサーバ９のハードウェア構成は、それぞれバスで相互に接続されている入力部７１と、表示部７２と、ドライブ部７３と、ＲＯＭ７４と、ＲＡＭ７５と、ＣＰＵ７６と、インターフェース部７７と、ＨＤ７８とから構成されている。
【０３６２】
入力部７１は、キーボード及びマウス等で構成され、Ｗｅｂサーバ９に各種操作信号を入力するのに用いられる。
【０３６３】
表示部７２は、Ｗｅｂサーバ９のユーザが利用するディスプレイ等で構成される。
【０３６４】
インターフェース部７７は、Ｗｅｂサーバ９をイーサネット（登録商標）ＬＡＮ５に接続するインターフェースである。
【０３６５】
Ｗｅｂサーバ９のプログラムは、例えば、ＣＤ−ＲＯＭ等の記録媒体によってＷｅｂサーバ９に提供されるか、イーサネット（登録商標）ＬＡＮ５を通じてダウンロードされる。記録媒体は、ドライブ部７３にセットされ、前記プログラムデータが記録媒体からドライブ部７３を介してＲＯＭ７４にインストールされる。
【０３６６】
ＲＯＭ７４は、データや前記プログラム等を格納する。ＲＡＭ７５は、Ｗｅｂサーバ９の起動時にＲＯＭ７４から前記プログラム等を読み出して格納する。ＣＰＵ７６は、ＲＡＭ７５に読み出され、格納された前記プログラム等に従って処理を実行する。
【０３６７】
ＨＤ７８は、カラープリンタ３及び／又はモノクロプリンタ４を利用する際に必要となるドライバや、該ドライバのインストール方法などベンダーが提供する情報を格納する。
【０３６８】
以下、ノートＰＣ１が、無線ＬＡＮアクセスポイント２と接続し、カラープリンタ３を利用する処理の他の例を、図２５を用いて説明する。
【０３６９】
図２５は、カラープリンタ利用処理の他の例を説明するためのフローチャートである。
【０３７０】
ステップＳ１４０においてノートＰＣ１は、当該ノートＰＣ１の赤外線通信部１９を用い、図２３に示すシステム構成においてカラープリンタ３と赤外線リンクを確立する。
【０３７１】
ステップＳ１４０に続いてステップＳ１４１に進み、ノートＰＣ１は、当該ノートＰＣ１の赤外線通信部１９を用い、カラープリンタ３より無線ＬＡＮアクセスポイント２の設定情報を取得する。
【０３７２】
ステップＳ１４１に続いてステップＳ１４２に進み、ノートＰＣ１は、当該ノートＰＣ１の赤外線通信部１９を用い、カラープリンタ３よりカラープリンタ３のＩＰアドレスを取得する。
【０３７３】
ステップＳ１４２に続いてステップＳ１４３に進み、ノートＰＣ１は、当該ノートＰＣ１の赤外線通信部１９を用い、カラープリンタ３よりＷｅｂサーバ９のＵＲＬを取得する。
【０３７４】
ステップＳ１４３に続いてステップＳ１４４に進み、ノートＰＣ１は、カラープリンタ３との赤外線リンクを切断する。
【０３７５】
ステップＳ１４４に続いてステップＳ１４５に進み、ノートＰＣ１は、当該ノートＰＣ１の無線通信部２０を用い、ステップＳ１４１において取得した無線ＬＡＮアクセスポイント２の設定情報を基に、対応する無線ＬＡＮアクセスポイント２を検索する。
【０３７６】
ステップＳ１４５に続いてステップＳ１４６に進み、ノートＰＣ１は、当該ノートＰＣ１の無線通信部２０を用い、ステップＳ１４５において検索した無線ＬＡＮアクセスポイント２と接続する。
【０３７７】
ステップＳ１４６に続いてステップＳ１４７に進み、ノートＰＣ１は、当該ノートＰＣ１の無線通信部２０を用い、無線ＬＡＮアクセスポイント２を介し、ステップＳ１４２においてＩＰアドレスを取得したカラープリンタ３と接続する。
【０３７８】
ステップＳ１４７に続いてステップＳ１４８に進み、ノートＰＣ１は、ステップＳ１４７において接続したカラープリンタ３のドライバを有しているかどうかを判定する。
【０３７９】
カラープリンタ３のドライバ有していると判定すると（ステップＳ１４８においてＹＥＳ）、ステップＳ１５１に進み、有していないと判定すると（ステップＳ１４８においてＮＯ）、ステップＳ１４９に進む。
【０３８０】
ステップＳ１４９では、ノートＰＣ１が、インターネット２１を介し、ステップＳ１４３において取得したＵＲＬを基に、Ｗｅｂサーバ９に接続する。
【０３８１】
ステップＳ１４９に続いてステップＳ１５０に進み、ノートＰＣ１は、Ｗｅｂサーバ９より、カラープリンタ３のドライバを取得する。ノートＰＣ１は、取得したドライバを当該ノートＰＣ１にインストールする。
【０３８２】
ステップＳ１５０に続いてステップＳ１５１に進み、ノートＰＣ１は、当該ノートＰＣ１の無線通信部２０を用い、無線ＬＡＮアクセスポイント２を介し、カラープリンタ３の機能を利用する。
【０３８３】
例えば、ノートＰＣ１は、カラープリンタ３にノートＰＣ１に格納されている文書を送信し、印刷の要求を行ったりする。
【０３８４】
図２５に示す処理を行うことによって、例えば、ノートＰＣ１にカラープリンタ３のドライバがインストールされていなくても、ベンダーが提供するサイトより最新のドライバをインストールし、カラープリンタ３を利用することができる。
【０３８５】
なお、図２３に示すようなシステム構成においては、上述したように、カラープリンタ３は、無線ＬＡＮアクセスポイント２の設定情報と、当該カラープリンタ３のＩＰアドレスと、周辺機器、図１９の例においてはモノクロプリンタ４、のＩＰアドレスと、Ｗｅｂサーバ９のＵＲＬとをＨＤ３７内に有している。
【０３８６】
以下では、本発明による無線通信システムの他の例を、図２６を用いて説明する。
【０３８７】
図２６は、本発明による無線通信システムのシステム構成図（その９）である。
【０３８８】
図２６に示される無線通信システムは、ノートＰＣ１と、無線ＬＡＮアクセスポイント２と、赤外線通信装置２３と、サービス提供サーバ２２と、イーサネット（登録商標）ＬＡＮ５とから構成されている。
【０３８９】
サービス提供サーバ２２は、図２６に示されるシステム構成において、各展示場所で提供するサービス情報を格納する。例えば、展示場所「神奈川県の歴史」において提供する神奈川県の歴史に係るクイズの情報や、展示場所「氷川丸」において提供する氷川丸の画像などを格納し、要求に応じてノートＰＣ１等に提供する。
【０３９０】
ノートＰＣ１を有するユーザは、各展示場所に赴き、当該ノートＰＣ１の赤外線通信部１９を用い、各展示場所に設置されている赤外線通信装置２３と赤外線通信を行い、無線ＬＡＮアクセスポイント２の設定情報や、各展示場所を識別する展示場所識別子、サービス提供サーバ２２のＩＰアドレス等を取得する。
【０３９１】
ノートＰＣ１は、当該ノートＰＣ１の赤外線通信部１９を用い、各展示場所に設置されている赤外線通信装置２３より無線ＬＡＮアクセスポイント２の設定情報や、各展示場所を識別する展示場所識別子、サービス提供サーバ２２のＩＰアドレス等を取得すると前記確立した赤外線通信装置２３との赤外線リンクを切断し、赤外線通信を終了する。
【０３９２】
ノートＰＣ１は、当該ノートＰＣ１の無線通信部２０を用い、前記取得した無線ＬＡＮアクセスポイント２の設定情報を基に、無線ＬＡＮアクセスポイント２と無線通信を行う。
【０３９３】
また、ノートＰＣ１は、当該ノートＰＣ１の無線通信部２０を用い、前記取得したサービス提供サーバ２２のＩＰアドレスを基に、無線ＬＡＮアクセスポイント２を介してサービス提供サーバ２２と接続を行う。
【０３９４】
ノートＰＣ１は、当該ノートＰＣ１の無線通信部２０を用い、前記取得した展示場所識別子を含んだサービス提供要求をサービス提供サーバ２２に送信する。
【０３９５】
サービス提供サーバ２２は、前記サービス提供要求に含まれる展示場所識別子に応じて、ノートＰＣ１にサービス情報を提供する。例えば、展示場識別子が展示場所「氷川丸」を示していた場合、サービス提供サーバ２２は、上述したように、氷川丸の画像をノートＰＣ１に送信する。
【０３９６】
ノートＰＣ１は、サービス提供サーバ２２が提供するサービス情報を、無線ＬＡＮアクセスポイント２を介して受信する。
【０３９７】
以下、サービス提供サーバ２２のハードウェア構成を、図２７を用いて説明する。
【０３９８】
図２７は、サービス提供サーバの一例のハードウェア構成図である。
【０３９９】
図２７に示されるサービス提供サーバ２２のハードウェア構成は、それぞれバスで相互に接続されている入力部８１と、表示部８２と、ドライブ部８３と、ＲＯＭ８４と、ＲＡＭ８５と、ＣＰＵ８６と、インターフェース部８７と、ＨＤ８８とから構成されている。
【０４００】
入力部８１は、キーボード及びマウス等で構成され、サービス提供サーバ２２に各種操作信号を入力するのに用いられる。
【０４０１】
表示部８２は、サービス提供サーバ２２のユーザが利用するディスプレイ等で構成される。
【０４０２】
インターフェース部８７は、サービス提供サーバ２２をイーサネット（登録商標）ＬＡＮ５に接続するインターフェースである。
【０４０３】
サービス提供サーバ２２のプログラムは、例えば、ＣＤ−ＲＯＭ等の記録媒体によってサービス提供サーバ２２に提供されるか、イーサネット（登録商標）ＬＡＮ５を通じてダウンロードされる。記録媒体は、ドライブ部８３にセットされ、前記プログラムデータが記録媒体からドライブ部８３を介してＲＯＭ８４にインストールされる。
【０４０４】
ＲＯＭ８４は、データや前記プログラム等を格納する。ＲＡＭ８５は、サービス提供サーバ２２の起動時にＲＯＭ８４から前記プログラム等を読み出して格納する。ＣＰＵ８６は、ＲＡＭ８５に読み出され、格納された前記プログラム等に従って処理を実行する。
【０４０５】
ＨＤ８８は、各展示場所において提供するサービス情報を格納する。
【０４０６】
以下、ノートＰＣ１が、無線ＬＡＮアクセスポイント２と接続し、サービス情報を受信する処理の一例を、図２８を用いて説明する。
【０４０７】
図２８は、サービス情報受信処理の一例を説明するためのフローチャートである。
【０４０８】
ステップＳ１６０においてノートＰＣ１は、当該ノートＰＣ１の赤外線通信部１９を用い、図２６に示すシステム構成において赤外線通信装置２３と赤外線リンクを確立する。
【０４０９】
ステップＳ１６０に続いてステップＳ１６１に進み、ノートＰＣ１は、当該ノートＰＣ１の赤外線通信部１９を用い、赤外線通信装置２３より無線ＬＡＮアクセスポイント２の設定情報を取得する。
【０４１０】
ステップＳ１６１に続いてステップＳ１６２に進み、ノートＰＣ１は、当該ノートＰＣ１の赤外線通信部１９を用い、赤外線通信装置２３よりサービス提供サーバ２２のＩＰアドレスを取得する。
【０４１１】
ステップＳ１６２に続いてステップＳ１６３に進み、ノートＰＣ１は、当該ノートＰＣ１の赤外線通信部１９を用い、赤外線通信装置２３より展示場所を識別する展示場所識別子を取得する。
【０４１２】
ステップＳ１６３に続いてステップＳ１６４に進み、ノートＰＣ１は、赤外線通信装置２３との赤外線リンクを切断する。
【０４１３】
ステップＳ１６４に続いてステップＳ１６５に進み、ノートＰＣ１は、当該ノートＰＣ１の無線通信部２０を用い、ステップＳ１６１において取得した無線ＬＡＮアクセスポイント２の設定情報を基に、対応する無線ＬＡＮアクセスポイント２を検索する。
【０４１４】
ステップＳ１６５に続いてステップＳ１６６に進み、ノートＰＣ１は、当該ノートＰＣ１の無線通信部２０を用い、ステップＳ１６５において検索した無線ＬＡＮアクセスポイント２と接続する。
【０４１５】
ステップＳ１６６に続いてステップＳ１６７に進み、ノートＰＣ１は、ステップＳ１６２において取得したサービス提供サーバ２２のＩＰアドレスを基に、当該ノートＰＣ１の無線通信部２０を用い、無線ＬＡＮアクセスポイント２を介し、サービス提供サーバ２２と接続する。
【０４１６】
ステップＳ１６７に続いてステップＳ１６８に進み、ノートＰＣ１は、当該ノートＰＣ１の無線通信部２０を用い、無線ＬＡＮアクセスポイント２を介し、ステップＳ１６３において取得した展示場所識別子をサービス提供サーバ２２に送信する。
【０４１７】
ステップＳ１６８に続いてステップＳ１６９に進み、ノートＰＣ１は、サービス提供サーバ２２より前記展示場所識別子に対応したサービス情報を受信する。
【０４１８】
例えば、ノートＰＣ１は、氷川丸の画像を受信したり、横浜の開港当時の映像ファイルなど各展示場所に応じたサービス情報をサービス提供サーバ２２より受信する。
【０４１９】
図２８に示す処理を行うことによって、ノートＰＣ１は、各展示場所に応じたサービス情報をサービス提供サーバ２２より取得することができる。
【０４２０】
また、図２６に示すようなシステム構成にすることによって、各展示場所にサービス情報を提供する装置を設置することなく、１つのサービス提供サーバ２２によって、サービス情報を管理し、提供することができる。
【０４２１】
以上、上述した各システム構成においては、ノートＰＣ１が赤外線通信部１９を有し、ノートＰＣ１と他の装置、例えばカラープリンタ３や会議サーバ６等、とが赤外線通信を行い、無線ＬＡＮアクセスポイント２の設定情報や、前記他の装置のＩＰアドレス等を取得する例を示した。
【０４２２】
以下では、携帯型赤外線通信装置２４を用いて、該携帯型赤外線通信装置２４が、前記他の装置と赤外線通信を行い、無線ＬＡＮアクセスポイント２の設定情報や、前記他の装置のＩＰアドレス等を取得し、該取得した情報をノートＰＣ１に提供する例を示す。
【０４２３】
図２９は、携帯型赤外線通信装置を用いた無線通信の概念図（その１）である。
【０４２４】
図２９（Ａ）に示すように、携帯型赤外線通信装置２４は、後述する当該携帯型赤外線通信装置２４の赤外線通信部９５を用い、カラープリンタ３と赤外線通信を行い、無線ＬＡＮアクセスポイント２の設定情報や、カラープリンタ３のＩＰアドレスを取得する。
【０４２５】
続いて図２９（Ｂ）に示すように、ノートＰＣ１は、ユーザによってドライブ部１３等に挿入された携帯型赤外線通信装置２４より、前記無線ＬＡＮアクセスポイント２の設定情報や、カラープリンタ３のＩＰアドレスを読み取る。
【０４２６】
続いて図２９（Ｃ）に示すように、ノートＰＣ１は、無線通信部２０を用い、前記読み取った無線ＬＡＮアクセスポイント２の設定情報を基に、無線ＬＡＮアクセスポイント２と接続し、通信を行う。また、図２９（Ｃ）に示すように、ノートＰＣ１は、無線通信部２０を用い、無線ＬＡＮアクセスポイント２を介して、前記読み取ったカラープリンタ３のＩＰアドレスを基にカラープリンタ３と接続し、利用する。
【０４２７】
例えば、ノートＰＣ１は、カラープリンタ３にノートＰＣ１に格納されている文書を送信し、印刷の要求を行ったりする。
【０４２８】
以下、携帯型赤外線通信装置２４のハードウェア構成を、図３０を用いて説明する。
【０４２９】
図３０は、携帯型赤外線通信装置の一例のハードウェア構成図である。
【０４３０】
図３０に示される携帯型赤外線通信装置２４のハードウェア構成は、それぞれバスで相互に接続されているＲＯＭ９１と、ＲＡＭ９２と、ＣＰＵ９３と、ＨＤ９４と、赤外線通信部９５とから構成されている。
【０４３１】
ＲＯＭ９１は、データや携帯型赤外線通信装置２４のプログラムなどを格納する。ＲＡＭ９２は、携帯型赤外線通信装置２４の起動時にＲＯＭ９１から前記プログラムなどを読み出して格納する。ＣＰＵ９３は、ＲＡＭ１５に読み出され、格納された前記プログラムなどに従って処理を実行する。
【０４３２】
ＨＤ９４は、例えば、カラープリンタ３等より取得した無線ＬＡＮアクセスポイント２の設定情報やカラープリンタ３のＩＰアドレス等を格納し、保持する。
【０４３３】
赤外線通信部９５は、例えばＩｒＤＡが定めた通信規格に則り、赤外線通信部４０を有するカラープリンタ３等と赤外線リンクを確立し、赤外線通信を行う。
【０４３４】
以下、携帯型赤外線通信装置２４における情報取得処理の一例を、図３１を用いて説明する。
【０４３５】
図３１は、情報取得処理の一例を説明するためのフローチャートである。
【０４３６】
ステップＳ１７０において携帯型赤外線通信装置２４は、当該携帯型赤外線通信装置２４の赤外線通信部９５を用い、図２９に示すシステム構成においてカラープリンタ３と赤外線リンクを確立する。
【０４３７】
ステップＳ１７０に続いてステップＳ１７１に進み、携帯型赤外線通信装置２４は、当該携帯型赤外線通信装置２４の赤外線通信部９５を用い、カラープリンタ３より無線ＬＡＮアクセスポイント２の設定情報を取得する。
【０４３８】
ステップＳ１７１に続いてステップＳ１７２に進み、携帯型赤外線通信装置２４は、当該携帯型赤外線通信装置２４の赤外線通信部９５を用い、カラープリンタ３よりカラープリンタ３のＩＰアドレスを取得する。
【０４３９】
ステップＳ１７２に続いてステップＳ１７３に進み、携帯型赤外線通信装置２４は、カラープリンタ３との赤外線リンクを切断する。
【０４４０】
図３１に示す処理を行うことによって、携帯型赤外線通信装置２４は、カラープリンタ３より無線ＬＡＮアクセスポイント２の設定情報やカラープリンタ３のＩＰアドレスを取得することができる。
【０４４１】
以下、携帯型赤外線通信装置２４が取得し、保持している無線ＬＡＮアクセスポイント２の設定情報やカラープリンタ３のＩＰアドレスを読み取ってカラープリンタ３を利用する処理の一例を、図３２を用いて説明する。
【０４４２】
図３２は、カラープリンタ利用処理の他の例を説明するためのフローチャートである。
【０４４３】
ステップＳ１８０においてノートＰＣ１は、挿入された携帯型赤外線通信装置２４より、無線ＬＡＮアクセスポイント２の設定情報やカラープリンタ３のＩＰアドレスを読み取る。
【０４４４】
ステップＳ１８０に続いてステップＳ１８１に進み、ノートＰＣ１は、当該ノートＰＣ１の無線通信部２０を用い、ステップＳ１８０において携帯型赤外線通信装置２４より読み取った無線ＬＡＮアクセスポイント２の設定情報を基に、対応する無線ＬＡＮアクセスポイント２を検索する。
【０４４５】
ステップＳ１８１に続いてステップＳ１８２に進み、ノートＰＣ１は、当該ノートＰＣ１の無線通信部２０を用い、ステップＳ１８１において検索した無線ＬＡＮアクセスポイント２と接続する。
【０４４６】
ステップＳ１８２に続いてステップＳ１８３に進み、ノートＰＣ１は、ステップＳ１８０において携帯型赤外線通信装置２４より読み取ったカラープリンタ３のＩＰアドレスを基に、当該ノートＰＣ１の無線通信部２０を用い、無線ＬＡＮアクセスポイント２を介し、カラープリンタ３と接続する。
【０４４７】
ステップＳ１８３に続いてステップＳ１８４に進み、ノートＰＣ１は、当該ノートＰＣ１の無線通信部２０を用い、無線ＬＡＮアクセスポイント２を介し、カラープリンタ３の機能を利用する。
【０４４８】
例えば、ノートＰＣ１は、カラープリンタ３にノートＰＣ１に格納されている文書を送信し、印刷の要求を行ったりする。
【０４４９】
図３２の処理を行うことによって、ノートＰＣ１は、挿入された携帯型赤外線通信装置２４より、無線ＬＡＮアクセスポイント２の設定情報やカラープリンタ３のＩＰアドレスを読み取り、無線ＬＡＮアクセスポイント２を介し、カラープリンタ３を利用することができる。
【０４５０】
図３３は、携帯型赤外線通信装置を用いた無線通信の概念図（その２）である。
【０４５１】
図３３（Ａ）に示すように、携帯型赤外線通信装置２４は、当該携帯型赤外線通信装置２４の赤外線通信部９５を用い、カラープリンタ３と赤外線通信を行い、無線ＬＡＮアクセスポイント２の設定情報や、カラープリンタ３のＩＰアドレスを取得する。
【０４５２】
続いて図３３（Ｂ）に示すように、ノートＰＣ１は、当該携帯型赤外線通信装置２４の赤外線通信部９５を用い、ノートＰＣ１と赤外線通信を行い、無線ＬＡＮアクセスポイント２の設定情報や、カラープリンタ３のＩＰアドレスをノートＰＣ１に送信する。
【０４５３】
続いて図３３（Ｃ）に示すように、ノートＰＣ１は、無線通信部２０を用い、携帯型赤外線通信装置２４より受信した無線ＬＡＮアクセスポイント２の設定情報を基に、無線ＬＡＮアクセスポイント２と接続し、通信を行う。また、図２９（Ｃ）に示すように、ノートＰＣ１は、無線通信部２０を用い、無線ＬＡＮアクセスポイント２を介して、携帯型赤外線通信装置２４より受信したカラープリンタ３のＩＰアドレスを基にカラープリンタ３と接続し、利用する。
【０４５４】
例えば、ノートＰＣ１は、カラープリンタ３にノートＰＣ１に格納されている文書を送信し、印刷の要求を行ったりする。
【０４５５】
以下、携帯型赤外線通信装置２４における情報取得・送信処理の一例を、図３４を用いて説明する。
【０４５６】
図３４は、情報取得・送信処理の一例を説明するためのフローチャートである。
【０４５７】
ステップＳ１９０において携帯型赤外線通信装置２４は、当該携帯型赤外線通信装置２４の赤外線通信部９５を用い、図３３に示すシステム構成においてカラープリンタ３と赤外線リンクを確立する。
【０４５８】
ステップＳ１９０に続いてステップＳ１９１に進み、携帯型赤外線通信装置２４は、当該携帯型赤外線通信装置２４の赤外線通信部９５を用い、カラープリンタ３より無線ＬＡＮアクセスポイント２の設定情報を取得する。
【０４５９】
ステップＳ１９１に続いてステップＳ１９２に進み、携帯型赤外線通信装置２４は、当該携帯型赤外線通信装置２４の赤外線通信部９５を用い、カラープリンタ３よりカラープリンタ３のＩＰアドレスを取得する。
【０４６０】
ステップＳ１９２に続いてステップＳ１９３に進み、携帯型赤外線通信装置２４は、カラープリンタ３との赤外線リンクを切断する。
【０４６１】
ステップＳ１９３に続いてステップＳ１９４に進み、携帯型赤外線通信装置２４は、当該携帯型赤外線通信装置２４の赤外線通信部９５を用い、ノートＰＣ１と赤外線リンクを確立する。
【０４６２】
ステップＳ１９４に続いてステップＳ１９５に進み、携帯型赤外線通信装置２４は、当該携帯型赤外線通信装置２４の赤外線通信部９５を用い、ステップＳ１９１においてカラープリンタ３より取得した無線ＬＡＮアクセスポイント２の設定情報をノートＰＣ１に送信する。
【０４６３】
ステップＳ１９５に続いてステップＳ１９６に進み、携帯型赤外線通信装置２４は、当該携帯型赤外線通信装置２４の赤外線通信部９５を用い、ステップＳ１９２においてカラープリンタ３より取得したカラープリンタ３のＩＰアドレスをノートＰＣ１に送信する。
【０４６４】
ステップＳ１９６に続いてステップＳ１９７に進み、携帯型赤外線通信装置２４は、ノートＰＣ１との赤外線リンクを切断する。
【０４６５】
図３４に示す処理を行うことによって、携帯型赤外線通信装置２４は、カラープリンタ３より無線ＬＡＮアクセスポイント２の設定情報やカラープリンタ３のＩＰアドレスを取得し、該取得した情報をノートＰＣ１に送信することができる。
【０４６６】
以下、カラープリンタ３の利用処理の他の例を、図３５を用いて説明する。
【０４６７】
図３５は、カラープリンタ利用処理の他の例を説明するためのフローチャートである。
【０４６８】
ステップＳ２００においてノートＰＣ１は、当該ノートＰＣ１の無線通信部２０を用い、携帯型赤外線通信装置２４より受信した無線ＬＡＮアクセスポイント２の設定情報を基に、対応する無線ＬＡＮアクセスポイント２を検索する。
【０４６９】
ステップＳ２００に続いてステップＳ２０１に進み、ノートＰＣ１は、当該ノートＰＣ１の無線通信部２０を用い、ステップＳ２００において検索した無線ＬＡＮアクセスポイント２と接続する。
【０４７０】
ステップＳ２０１に続いてステップＳ２０２に進み、ノートＰＣ１は、携帯型赤外線通信装置２４より受信したカラープリンタ３のＩＰアドレスを基に、当該ノートＰＣ１の無線通信部２０を用い、無線ＬＡＮアクセスポイント２を介し、カラープリンタ３と接続する。
【０４７１】
ステップＳ２０２に続いてステップＳ２０３に進み、ノートＰＣ１は、当該ノートＰＣ１の無線通信部２０を用い、無線ＬＡＮアクセスポイント２を介し、カラープリンタ３の機能を利用する。
【０４７２】
例えば、ノートＰＣ１は、カラープリンタ３にノートＰＣ１に格納されている文書を送信し、印刷の要求を行ったりする。
【０４７３】
図３５の処理を行うことによって、ノートＰＣ１は、携帯型赤外線通信装置２４より受信した、無線ＬＡＮアクセスポイント２の設定情報やカラープリンタ３のＩＰアドレスを基に、無線ＬＡＮアクセスポイント２と接続し、該無線ＬＡＮアクセスポイント２を介してカラープリンタ３を利用することができる。
【０４７４】
【発明の効果】
上述の如く、本発明によれば無線ＬＡＮアクセスポイントを用いたネットワーク環境下で効率よく通信を行うことができる。
【０４７５】
【図面の簡単な説明】
【図１】本発明による無線通信システムのシステム構成図（その１）である。
【図２】ノートＰＣの一例のハードウェア構成図である。
【図３】カラープリンタの一例のハードウェア構成図である。
【図４】カラープリンタ利用処理の一例を説明するためのフローチャートである。
【図５】モノクロプリンタ利用処理の一例を説明するためのフローチャートである。
【図６】プリンタ選択・利用処理の一例を説明するためのフローチャートである。
【図７】本発明による無線通信システムのシステム構成図（その２）である。
【図８】会議サーバの一例のハードウェア構成図である。
【図９】文書格納処理の一例を説明するためのフローチャートである。
【図１０】本発明による無線通信システムのシステム構成図（その３）である。
【図１１】ノートＰＣ同士の通信処理の一例を説明するための図である。
【図１２】ノートＰＣ同士の通信処理の他の例を説明するための図である。
【図１３】本発明による無線通信システムのシステム構成図（その４）である。
【図１４】認証サーバの一例のハードウェア構成図である。
【図１５】カラープリンタ利用処理の他の例を説明するためのフローチャートである。
【図１６】ＭＡＣアドレスの認証処理の一例を説明するためのフローチャートである。
【図１７】本発明による無線通信システムのシステム構成図（その５）である。
【図１８】無線ＬＡＮアクセスポイント接続処理の一例を説明するためのフローチャートである。
【図１９】本発明による無線通信システムのシステム構成図（その６）である。
【図２０】情報管理サーバの一例のハードウェア構成図である。
【図２１】カラープリンタ利用処理の他の例を説明するためのフローチャートである。
【図２２】本発明による無線通信システムのシステム構成図（その７）である。
【図２３】本発明による無線通信システムのシステム構成図（その８）である。
【図２４】Ｗｅｂサーバの一例のハードウェア構成図である。
【図２５】カラープリンタ利用処理の他の例を説明するためのフローチャートである。
【図２６】本発明による無線通信システムのシステム構成図（その９）である。
【図２７】サービス提供サーバの一例のハードウェア構成図である。
【図２８】サービス情報受信処理の一例を説明するためのフローチャートである。
【図２９】携帯型赤外線通信装置を用いた無線通信の概念図（その１）である。
【図３０】携帯型赤外線通信装置の一例のハードウェア構成図である。
【図３１】情報取得処理の一例を説明するためのフローチャートである。
【図３２】カラープリンタ利用処理の他の例を説明するためのフローチャートである。
【図３３】携帯型赤外線通信装置を用いた無線通信の概念図（その２）である。
【図３４】情報取得・送信処理の一例を説明するためのフローチャートである。
【図３５】カラープリンタ利用処理の他の例を説明するためのフローチャートである。
【符号の説明】
１    ノートＰＣ
２    無線ＬＡＮアクセスポイント
３    カラープリンタ
４    モノクロプリンタ
５    イーサネット（登録商標）ＬＡＮ
６    会議サーバ
７    認証サーバ
８    情報管理サーバ
９    Ｗｅｂサーバ
１０    ゲートウェイ
１１    入力部
１２    表示部
１３    ドライブ部
１４    ＲＯＭ
１５    ＲＡＭ
１６    ＣＰＵ
１７    インターフェース部
１８    ＨＤ
１９    赤外線通信部
２０    無線通信部
２１    インターネット
２２    サービス提供サーバ
２３    赤外線通信装置
２４    携帯型赤外線通信装置
３１    入力・表示部
３２    ドライブ部
３３    ＲＯＭ
３４    ＲＡＭ
３５    ＣＰＵ
３６    インターフェース部
３７    ＨＤ
３８    読み取り部
３９    印字部
４０    赤外線通信部
４１    入力部
４２    表示部
４３    ドライブ部
４４    ＲＯＭ
４５    ＲＡＭ
４６    ＣＰＵ
４７    インターフェース部
４８    ＨＤ
４９    赤外線通信部
５１    入力部
５２    表示部
５３    ドライブ部
５４    ＲＯＭ
５５    ＲＡＭ
５６    ＣＰＵ
５７    インターフェース部
５８    ＨＤ
６１    入力部
６２    表示部
６３    ドライブ部
６４    ＲＯＭ
６５    ＲＡＭ
６６    ＣＰＵ
６７    インターフェース部
６８    ＨＤ
７１    入力部
７２    表示部
７３    ドライブ部
７４    ＲＯＭ
７５    ＲＡＭ
７６    ＣＰＵ
７７    インターフェース部
７８    ＨＤ
８１    入力部
８２    表示部
８３    ドライブ部
８４    ＲＯＭ
８５    ＲＡＭ
８６    ＣＰＵ
８７    インターフェース部
８８    ＨＤ
９１    ＲＯＭ
９２    ＲＡＭ
９３    ＣＰＵ
９４    ＨＤ
９５    赤外線通信部
【図１】
2004336538.tif 000003
【図２】
2004336538.tif 000004
【図３】
2004336538.tif 000005
【図４】
2004336538.tif 000006
【図５】
2004336538.tif 000007
【図６】
2004336538.tif 000008
【図７】
2004336538.tif 000009
【図８】
2004336538.tif 000010
【図９】
2004336538.tif 000011
【図１０】
2004336538.tif 000012
【図１１】
2004336538.tif 000013
【図１２】
2004336538.tif 000014
【図１３】
2004336538.tif 000015
【図１４】
2004336538.tif 000016
【図１５】
2004336538.tif 000017
【図１６】
2004336538.tif 000018
【図１７】
2004336538.tif 000019
【図１８】
2004336538.tif 000020
【図１９】
2004336538.tif 000021
【図２０】
2004336538.tif 000022
【図２１】
2004336538.tif 000023
【図２２】
2004336538.tif 000024
【図２３】
2004336538.tif 000025
【図２４】
2004336538.tif 000026
【図２５】
2004336538.tif 000027
【図２６】
2004336538.tif 000028
【図２７】
2004336538.tif 000029
【図２８】
2004336538.tif 000030
【図２９】
2004336538.tif 000031
【図３０】
2004336538.tif 000032
【図３１】
2004336538.tif 000033
【図３２】
2004336538.tif 000034
【図３３】
2004336538.tif 000035
【図３４】
2004336538.tif 000036
【図３５】
2004336538.tif 000037